(57)【要約】  本発明の実施形態は、通知メッセージ管理方法および端末を提供し、該方法は、該端末に使用され、通知メッセージを提供することができる少なくとも1つのアプリケーションは、端末にインストールされ、本方法は、通知管理用のユーザインタフェースを表示するためのユーザ入力命令を検出するステップと、通知管理用のユーザインタフェースを表示するステップであって、通知管理用のユーザインタフェースが、分類オプションを含む、ステップと、分類オプションを選択するためのユーザ入力命令を受信するステップと、少なくとも2つのアプリケーションタイプを表示するステップと、少なくとも2つのアプリケーションタイプの1つのアプリケーションタイプのオプションを選択するためのユーザ入力命令を検出するステップと、選択されたアプリケーションタイプに対応する少なくとも1つのアプリケーションの識別子を同じユーザインタフェースに表示し、少なくとも1つのアプリケーションの各々の通知メッセージのUIプロンプト方法の設定オプションを表示するステップと、少なくとも1つのアプリケーションのUIプロンプト方法の設定オプションに対するユーザの操作を検出するステップと、ユーザ操作の後に少なくとも1つのアプリケーションのUIプロンプト方法の設定オプションを保存するステップとを含む。
2019507401.tif 000002
【特許請求の範囲】
【請求項１】
端末に使用される通知メッセージ管理方法であって、通知メッセージを提供することができる少なくとも1つのアプリケーションが、前記端末にインストールされており、前記方法は、
通知管理用のユーザインタフェース（UI）を表示するためのユーザ入力命令を検出するステップと、
前記通知管理用のユーザインタフェースを表示するステップであって、前記通知管理用のユーザインタフェースが、分類オプションを含む、ステップと、
前記分類オプションを選択するためのユーザ入力命令を受信するステップと、
少なくとも2つのアプリケーションタイプのオプションを表示するステップと、
前記少なくとも2つのアプリケーションタイプの1つのアプリケーションタイプのオプションを選択するためのユーザ入力命令を検出するステップと、
前記選択されたアプリケーションタイプに対応する少なくとも1つのアプリケーションの識別子を同じユーザインタフェースに表示し、前記少なくとも1つのアプリケーションの各々の通知メッセージのUIプロンプト方法の設定オプションを表示するステップと、
前記少なくとも1つのアプリケーションの前記UIプロンプト方法の前記設定オプションに対するユーザの操作を検出するステップと、
前記ユーザ操作の後に前記少なくとも1つのアプリケーションの前記UIプロンプト方法の前記設定オプションを保存するステップと
を含む、通知メッセージ管理方法。
【請求項２】
前記アプリケーションタイプが、アプリケーションの前記通知メッセージの前記UIプロンプト方法に従って前記アプリケーションを分類するものである、請求項1に記載の通知メッセージ管理方法。
【請求項３】
前記アプリケーションタイプが、前記アプリケーションのすべての通知メッセージを一度にブロックする、ロック画面通知、バナー、バッジ、通知パネル、ローリング通知、またはトースト（Toast）の少なくとも2つを含む、請求項1または2に記載の通知メッセージ管理方法。
【請求項４】
前記アプリケーションタイプが、アプリケーションが前記通知メッセージを提供する頻度に従って前記アプリケーションを分類するものであるか、または前記アプリケーションタイプが、アプリケーションの前記通知メッセージが読み出される頻度に従って前記アプリケーションを分類するものであるか、または前記アプリケーションタイプが、現在出されている前記通知メッセージの前記プロンプト方法に従ってアプリケーションを分類するものである、請求項1に記載の通知メッセージ管理方法。
【請求項５】
前記ユーザ操作の後に前記少なくとも1つのアプリケーションの前記UIプロンプト方法の前記設定オプションを保存する前記ステップの後に、前記方法が、
新しい通知メッセージを受信するステップと、
前記新しい通知メッセージのアプリケーションの識別子を検索するステップと、
前記少なくとも1つのアプリケーションの前記UIプロンプト方法の前記保存された設定オプションおよび前記新しい通知メッセージの前記アプリケーションの前記識別子に従って前記新しい通知メッセージのUIプロンプト方法を決定するステップと、
前記新しい通知メッセージの前記UIプロンプト方法に従って前記新しい通知メッセージを出すステップと
をさらに含む、請求項1から4のいずれか一項に記載の通知メッセージ管理方法。
【請求項６】
端末に使用される通知メッセージ管理方法であって、通知メッセージを提供することができる少なくとも1つのアプリケーションが前記端末にインストールされており、前記方法は、
通知管理用のユーザインタフェース（UI）を表示するためのユーザ入力命令を検出するステップと、
前記通知管理用のユーザインタフェースを表示するステップであって、前記通知管理用のユーザインタフェースが、分類オプションを含む、ステップと、
前記分類オプションを選択するためのユーザ入力命令を検出するステップと、
第1のUIプロンプト方法のオプションおよび第2のUIプロンプト方法のオプションを表示するステップであって、前記第1のUIプロンプト方法が、前記第2のUIプロンプト方法と異なる、ステップと、
前記第1のUIプロンプト方法の前記オプションを選択するためのユーザの命令を検出するステップと、
前記第1のUIプロンプト方法に対応する第1のアプリケーションの識別子と、前記第1のUIプロンプト方法に対応する第2のアプリケーションの識別子と、前記第1のアプリケーションの通知メッセージの前記第1のUIプロンプト方法のトグルを無効にするかどうかと、前記第2のアプリケーションの通知メッセージの前記第2のUIプロンプト方法のトグルを無効にするかどうかとを同じユーザインタフェースに表示するステップと、
前記第1のアプリケーションの前記第1のUIプロンプト方法を無効にするための前記ユーザの操作および前記第2のアプリケーションの前記第1のUIプロンプト方法を無効にするための前記ユーザの操作を検出するステップと、
前記第1のアプリケーションの前記第1のUIプロンプト方法が無効であるという設定および前記第2のアプリケーションの前記第1のUIプロンプト方法が無効であるという設定を保存するステップと
を含む、通知メッセージ管理方法。
【請求項７】
前記第1のUIプロンプト方法が、ロック画面通知、バナー、バッジ、通知パネル、ローリング通知、またはトースト（Toast）のいずれか1つであり、前記第2のUIプロンプト方法が、ロック画面通知、バナー、バッジ、通知パネル、ローリング通知、またはToastのいずれか1つである、請求項6に記載の通知メッセージ管理方法。
【請求項８】
端末に使用される通知メッセージ管理方法であって、通知メッセージを提供することができる少なくとも1つのアプリケーションが前記端末にインストールされており、前記方法は、
通知管理用のユーザインタフェース（UI）を表示するためのユーザ入力命令を検出するステップと、
前記通知管理用のユーザインタフェースを表示するステップであって、前記通知管理用のユーザインタフェースが、分類オプションを含む、ステップと、
前記分類オプションを選択するためのユーザ入力命令を検出するステップと、
少なくとも2つのアプリケーションタイプのオプションを表示するステップであって、前記アプリケーションタイプが、アプリケーションの通知メッセージが読み出される頻度に従って前記アプリケーションを分類するものである、ステップと、
前記少なくとも2つのアプリケーションタイプの1つのアプリケーションタイプのオプションを選択するためのユーザ入力命令を検出するステップと、
前記選択されたアプリケーションタイプに対応する少なくとも1つのアプリケーションの識別子を同じユーザインタフェースに表示し、前記少なくとも1つのアプリケーションの各々の通知メッセージのすべてのUIプロンプト方法のトグルを無効にするかどうかを表示するステップと、
前記少なくとも1つのアプリケーションのうちの一部のアプリケーションの通知メッセージのすべてのUIプロンプト方法を無効にするためのユーザの操作を検出するステップと、
前記一部のアプリケーションの通知メッセージの前記すべてのUIプロンプト方法が無効であるという設定を保存するステップと
を含む、通知メッセージ管理方法。
【請求項９】
前記一部のアプリケーションの通知メッセージの前記すべてのUIプロンプト方法が無効であるという設定を保存する前記ステップの後に、前記方法が、
新しい通知メッセージを受信するステップと、
前記新しい通知メッセージが一部のアプリケーションの1つのアプリケーションに対応すると判定された場合に、
前記新しい通知メッセージのUIプロンプトをブロックするステップと
をさらに含む、請求項8に記載の通知メッセージ管理方法。
【請求項１０】
端末であって、
タッチパネルと、
表示パネルと、
メモリと、
少なくとも1つのプロセッサと、
通知メッセージを提供することができる少なくとも1つのアプリケーションと、
1つ以上のプログラムであって、前記1つ以上のプログラムが、前記メモリに格納され、前記1つ以上のプロセッサによって実行されるように構成され、前記1つ以上のプログラムが命令を含み、前記命令が、
通知管理用のユーザインタフェース（UI）を表示するためのユーザ入力命令を検出し、
前記通知管理用のユーザインタフェースを表示し、前記通知管理用のユーザインタフェースが分類オプションを含み、
前記分類オプションを選択するためのユーザ入力命令を受信し、
少なくとも2つのアプリケーションタイプのオプションを表示し、
前記少なくとも2つのアプリケーションタイプの1つのアプリケーションタイプのオプションを選択するためのユーザ入力命令を検出し、
前記選択されたアプリケーションタイプに対応する少なくとも1つのアプリケーションの識別子を同じユーザインタフェースに表示し、前記少なくとも1つのアプリケーションの各々の通知メッセージのUIプロンプト方法の設定オプションを表示し、
前記少なくとも1つのアプリケーションの前記UIプロンプト方法の前記設定オプションに対するユーザの操作を検出し、
前記ユーザ操作の後に前記少なくとも1つのアプリケーションの前記UIプロンプト方法の前記設定オプションを保存する
ために使用される、1つ以上のプログラムと
を備える、端末。
【請求項１１】
前記アプリケーションタイプが、アプリケーションの前記通知メッセージの前記UIプロンプト方法に従って前記アプリケーションを分類するものである、請求項10に記載の端末。
【請求項１２】
前記アプリケーションタイプが、前記アプリケーションのすべての通知メッセージを一度にブロックする、ロック画面通知、バナー、バッジ、通知パネル、ローリング通知、またはトースト（Toast）の少なくとも2つを含む、請求項10または11に記載の端末。
【請求項１３】
前記命令が、
新しい通知メッセージを受信し、
前記新しい通知メッセージのアプリケーションの識別子を検索し、
前記少なくとも1つのアプリケーションの前記UIプロンプト方法の前記保存された設定オプションおよび前記新しい通知メッセージの前記アプリケーションの前記識別子に従って前記新しい通知メッセージのUIプロンプト方法を決定し、
前記新しい通知メッセージの前記UIプロンプト方法に従って前記新しい通知メッセージを出す
ためにさらに使用される、請求項10または11に記載の端末。
【請求項１４】
端末であって、
タッチパネルと、
表示パネルと、
メモリと、
少なくとも1つのプロセッサと、
通知メッセージを提供することができる少なくとも1つのアプリケーションと、
1つ以上のプログラムであって、前記1つ以上のプログラムが、前記メモリに格納され、前記1つ以上のプロセッサによって実行されるように構成され、前記1つ以上のプログラムが命令を含み、前記命令が、
通知管理用のユーザインタフェース（UI）を表示するためのユーザ入力命令を検出し、
前記通知管理用のユーザインタフェースを表示し、前記通知管理用のユーザインタフェースが分類オプションを含み、
前記分類オプションを選択するためのユーザ入力命令を検出し、
第1のUIプロンプト方法のオプションおよび第2のUIプロンプト方法のオプションを表示し、前記第1のUIプロンプト方法が前記第2のUIプロンプト方法と異なり、
前記第1のUIプロンプト方法の前記オプションを選択するためのユーザの命令を検出し、
前記第1のUIプロンプト方法に対応する第1のアプリケーションの識別子と、前記第1のUIプロンプト方法に対応する第2のアプリケーションの識別子と、前記第1のアプリケーションの通知メッセージの前記第1のUIプロンプト方法のトグルを無効にするかどうかと、前記第2のアプリケーションの通知メッセージの前記第2のUIプロンプト方法のトグルを無効にするかどうかとを同じユーザインタフェースに表示し、
前記第1のアプリケーションの前記第1のUIプロンプト方法を無効にするための前記ユーザの操作および前記第2のアプリケーションの前記第1のUIプロンプト方法を無効にするための前記ユーザの操作を検出し、
前記第1のアプリケーションの前記第1のUIプロンプト方法が無効であるという設定および前記第2のアプリケーションの前記第1のUIプロンプト方法が無効であるという設定を保存する
ために使用される、1つ以上のプログラムと
を備える、端末。
【請求項１５】
前記第1のUIプロンプト方法が、ロック画面通知、バナー、バッジ、通知パネル、ローリング通知、またはトースト（Toast）のいずれか1つであり、前記第2のUIプロンプト方法が、ロック画面通知、バナー、バッジ、通知パネル、ローリング通知、またはToastのいずれか1つである、請求項14に記載の端末。
【請求項１６】
端末であって、
タッチパネルと、
表示パネルと、
メモリと、
少なくとも1つのプロセッサと、
通知メッセージを提供することができる少なくとも1つのアプリケーションと、
1つ以上のプログラムであって、前記1つ以上のプログラムが、前記メモリに格納され、前記1つ以上のプロセッサによって実行されるように構成され、前記1つ以上のプログラムが命令を含み、前記命令が、
通知管理用のユーザインタフェース（UI）を表示するためのユーザ入力命令を検出し、
前記通知管理用のユーザインタフェースを表示し、前記通知管理用のユーザインタフェースが分類オプションを含み、
前記分類オプションを選択するためのユーザ入力命令を検出し、
少なくとも2つのアプリケーションタイプのオプションを表示し、前記アプリケーションタイプが、アプリケーションの通知メッセージが読み出される頻度に従って前記アプリケーションを分類するものであり、
前記少なくとも2つのアプリケーションタイプの1つのアプリケーションタイプのオプションを選択するためのユーザ入力命令を検出し、
前記選択されたアプリケーションタイプに対応する少なくとも1つのアプリケーションの識別子を同じユーザインタフェースに表示し、前記少なくとも1つのアプリケーションの各々の通知メッセージのすべてのUIプロンプト方法のトグルを無効にするかどうかを表示し、
前記少なくとも1つのアプリケーションのうちの一部のアプリケーションの通知メッセージのすべてのUIプロンプト方法をユーザが無効にしたことを検出し、
前記一部のアプリケーションの通知メッセージの前記すべてのUIプロンプト方法が無効であるという設定を保存する
ために使用される、1つ以上のプログラムと
を備える、端末。
【請求項１７】
前記命令が、
新しい通知メッセージを受信し、
前記新しい通知メッセージが一部のアプリケーションの1つのアプリケーションに対応すると判定された場合に、
前記新しい通知メッセージのUIプロンプトをブロックする
ためにさらに使用される、請求項16に記載の端末。
【請求項１８】
1つ以上のプログラムを格納するコンピュータ可読記憶媒体であって、前記1つ以上のプログラムが命令を含み、タッチパネル、表示パネル、および複数のアプリケーションを備える端末によって実行されたときに、前記命令が、前記端末が請求項1から5のいずれか一項に記載の方法を実行することを可能にする、コンピュータ可読記憶媒体。
【請求項１９】
1つ以上のプログラムを格納するコンピュータ可読記憶媒体であって、前記1つ以上のプログラムが命令を含み、タッチパネル、表示パネル、および複数のアプリケーションを備える端末によって実行されたときに、前記命令が、前記端末が請求項6または7に記載の方法を実行することを可能にする、コンピュータ可読記憶媒体。
【請求項２０】
1つ以上のプログラムを格納するコンピュータ可読記憶媒体であって、前記1つ以上のプログラムが命令を含み、タッチパネル、表示パネル、および複数のアプリケーションを備える端末によって実行されたときに、前記命令が、前記端末が請求項8または9に記載の方法を実行することを可能にする、コンピュータ可読記憶媒体。
【請求項２１】
端末のグラフィカル・ユーザ・インタフェースであって、前記端末が、タッチパネルと、表示パネルと、メモリと、複数のアプリケーションと、前記メモリに格納された1つ以上のプログラムを実行するように構成された1つ以上のプロセッサとを備え、前記グラフィカル・ユーザ・インタフェースが、
通知管理を表示するように構成されたユーザインタフェースと、2つのアプリケーションタイプを表示するように構成されたユーザインタフェースと、ユーザによって選択されるアプリケーションタイプに対応する少なくとも1つのアプリケーションの識別子および前記少なくとも1つのアプリケーションの各々の通知メッセージのUIプロンプト方法の設定オプションを表示するように構成されたユーザインタフェースとを備え、
通知管理を表示する前記ユーザインタフェースが、分類オプションを備え、通知管理用のユーザインタフェース（UI）を表示するための検出されたユーザ入力命令に応答して、前記通知管理を表示するように構成されたユーザインタフェースが表示を開始し、
前記分類オプションを選択するための検出されたユーザ入力命令に応答して、前記少なくとも2つのアプリケーションタイプの前記オプションを表示するように構成された前記ユーザインタフェースが表示を開始し、
前記少なくとも2つのアプリケーションタイプのうちの1つのアプリケーションタイプを選択するための検出されたユーザ入力命令に応答して、前記選択されたアプリケーションタイプに対応する前記少なくとも1つのアプリケーションの前記識別子および前記少なくとも1つのアプリケーションの各々の前記通知メッセージの前記UIプロンプト方法の前記設定オプションを表示するように構成された前記ユーザインタフェースが表示を開始し、
前記少なくとも1つのアプリケーションの前記UIプロンプト方法の前記設定オプションに対するユーザの操作に応答して、前記選択されたアプリケーションタイプに対応する前記少なくとも1つのアプリケーションの前記識別子および前記少なくとも1つのアプリケーションの各々の前記通知メッセージの前記UIプロンプト方法の前記設定オプションを表示するように構成された前記ユーザインタフェースの表示が変更される、グラフィカル・ユーザ・インタフェース。
【請求項２２】
端末のグラフィカル・ユーザ・インタフェースであって、前記端末が、タッチパネルと、表示パネルと、メモリと、複数のアプリケーションと、前記メモリに格納された1つ以上のプログラムを実行するように構成された1つ以上のプロセッサとを備え、前記グラフィカル・ユーザ・インタフェースが、
通知管理を表示するように構成されたユーザインタフェースと、第1のUIプロンプト方法のオプションおよび第2のUIプロンプト方法のオプションを表示するように構成されたユーザインタフェースと、アプリケーションタイプに対応する少なくとも1つのアプリケーションの識別子を表示し、前記少なくとも1つのアプリケーションの各々の通知メッセージのすべてのUIプロンプト方法のトグルを無効にするかどうかを表示するように構成されたユーザインタフェースとを備え、
通知管理用のユーザインタフェース（UI）を表示するための検出されたユーザ入力命令に応答して、前記通知管理を表示するように構成されたユーザインタフェースが、表示を開始し、
前記分類オプションを選択するための検出されたユーザ入力命令に応答して、前記第1のUIプロンプト方法の前記オプションおよび前記第2のUIプロンプト方法の前記オプションを表示するように構成された前記ユーザインタフェースが表示を開始し、
前記第1のUIプロンプト方法の前記オプションを選択するための検出されたユーザ入力命令に応答して、前記アプリケーションタイプに対応する前記少なくとも1つのアプリケーションの前記識別子を表示し、前記少なくとも1つのアプリケーションの各々の前記通知メッセージの前記すべてのUIプロンプト方法の前記トグルを無効にするかどうかを表示するように構成された前記ユーザインタフェースが表示を開始し、
前記第1のアプリケーションの前記第1のUIプロンプト方法を無効にするためのユーザの操作および前記第2のアプリケーションの前記第1のUIプロンプト方法を無効にするための前記ユーザの操作に応答して、前記アプリケーションタイプに対応する前記少なくとも1つのアプリケーションの前記識別子を表示し、前記少なくとも1つのアプリケーションの各々の前記通知メッセージの前記すべてのUIプロンプト方法の前記トグルを無効にするかどうかを表示するように構成された前記ユーザインタフェースの表示が変更される、グラフィカル・ユーザ・インタフェース。
【請求項２３】
端末のグラフィカル・ユーザ・インタフェースであって、前記端末が、タッチパネルと、表示パネルと、メモリと、複数のアプリケーションと、前記メモリに格納された1つ以上のプログラムを実行するように構成された1つ以上のプロセッサとを備え、前記グラフィカル・ユーザ・インタフェースが、
通知管理を表示するように構成されたユーザインタフェースと、少なくとも2つのアプリケーションタイプのオプションを表示するように構成されたユーザインタフェースと、ユーザによって選択されるアプリケーションタイプに対応する少なくとも1つのアプリケーションの識別子を表示し、前記少なくとも1つのアプリケーションの各々の通知メッセージのUIプロンプト方法の設定オプションを表示するように構成されたユーザインタフェースとを備え、
通知管理用のユーザインタフェース（UI）を表示するための検出されたユーザ入力命令に応答して、前記通知管理を表示するように構成されたユーザインタフェースが、表示を開始し、
前記分類オプションを選択するためのユーザ入力命令に応答して、前記少なくとも2つのアプリケーションタイプの前記オプションを表示するように構成された前記ユーザインタフェースが表示を開始し、
前記少なくとも2つのアプリケーションタイプのうちの1つのアプリケーションタイプのオプションを選択するためのユーザ入力命令に応答して、前記ユーザによって選択された前記アプリケーションタイプに対応する前記少なくとも1つのアプリケーションの前記識別子および前記少なくとも1つのアプリケーションの各々の前記通知メッセージの前記UIプロンプト方法の前記設定オプションを表示するように構成された前記ユーザインタフェースが表示を開始し、
前記少なくとも1つのアプリケーションの前記UIプロンプト方法の前記設定オプションに対する前記ユーザの操作に応答して、前記ユーザによって選択された前記アプリケーションタイプに対応する前記少なくとも1つのアプリケーションの前記識別子を表示し、前記少なくとも1つのアプリケーションの各々の前記通知メッセージの前記UIプロンプト方法の前記設定オプションを表示するように構成された前記ユーザインタフェースの表示が変更される、グラフィカル・ユーザ・インタフェース。
【発明の詳細な説明】
【技術分野】
【０００１】
本発明は、通信分野に関し、具体的には、通知メッセージ管理方法および端末に関する。
【背景技術】
【０００２】
現在、携帯電話の使用はより一般的になってきている。オペレーティングシステムに提供されるいくつかのアプリケーション（例えば、ダイヤル、SMSメッセージ、カレンダー、ラジオ、アプリケーションストア）に加えて、携帯電話自体は、ユーザ命令に従って、サードパーティアプリケーション開発者によって提供されるアプリケーション（例えば、ソーシャルアプリケーション、銀行アプリケーション、ショッピングアプリケーション）をさらにインストールすることができる。多くのアプリケーションは、アプリケーションのコンテンツまたは状態などが更新されたことをユーザに通知する通知メッセージを提供する。携帯電話は、通知メッセージ、例えば視覚プロンプト、音声プロンプト、および振動プロンプトを出す複数の方法を提供する。視覚プロンプトは、携帯電話の画面上に通知メッセージを表示する（すなわち、ユーザインタフェースを使用してリマインドする）ことまたは携帯電話のインジケータライトの発光を使用してプロンプトを出すことなどを含む。
【０００３】
従来技術では、アプリケーションの通知メッセージのプロンプト方法は、自動または手動で設定することができる。自動設定方法（中国特許出願第105228109号明細書などの）は、携帯電話が、ユーザの使用習慣またはアプリケーション・プロンプト・メッセージのコンテンツに従って、即座にプロンプトを出すかどうかを判定するか、または受信した通知メッセージと現在のユーザインタフェースとの関係（中国特許出願第104584488号明細書など）に従って通知メッセージの重要度および様々なプロンプト方法に対応する様々な重要度を判定することを含む。しかしながら、ユーザはこの設定方法では自発的に選択を行うことができず、ユーザの実際の要求は必ずしも満たされない。
【０００４】
手動設定方法では、携帯電話は、通知管理のためのユーザインタフェースを提供し、これによりアプリケーション通知メッセージのプロンプト方法が管理される。図1Aに示す通知管理のためのユーザインタフェースを一例として使用する。101はステータスバーを示し、ステータスバー101は、左から右に順番にモバイルネットワーク信号アイコン、オペレータアイコン、WiFiアイコン、時刻、バッテリ残量パーセンテージ、およびバッテリアイコンを含む。通知管理のためのユーザインタフェースは、カレンダー、電子メール、音楽、ラジオ、SMSメッセージ、およびテーマなどのいくつかのアプリケーションを表示する。図1Aの下部には、ナビゲーションバー（Navigation bar）102がさらに含まれ、ナビゲーションバー102は、左から右に順番に、ナビゲーションバーを非表示にするために使用されるボタン、戻るボタン（Back button）、ホームボタン（Home buttom）、およびオーバービューボタン（Overview button）を含む。
【０００５】
ユーザが図1Bの通りにカレンダーオプションをタップすると、携帯電話は、図1Cのユーザインタフェースに入ることができ、ユーザは、このインタフェースでカレンダーの通知を許可するかどうか、カレンダーの優先プロンプトを許可するかどうか、およびカレンダーの3つのリマインド方法を有効にするかどうかを設定することができる。
【０００６】
しかしながら、図1Cにおいて、ユーザが1つのアプリケーションの通知メッセージのプロンプト方法を設定した後で、ユーザが別のアプリケーションの通知メッセージのプロンプト方法を設定したい場合、ユーザは、図1Aに示したユーザインタフェースに戻り、次に別のアプリケーションを選択しなければならない。したがって、通知メッセージを管理するためのこの方法の効率は高くなく、特に、ユーザが複数のアプリケーションの通知メッセージのプロンプト方法を設定する場合、操作が煩雑である。
【発明の概要】
【０００７】
本発明の実施形態は、通知メッセージ管理方法および端末を提供して、通知メッセージを管理する効率を向上させ、ユーザ操作を簡単にする。
【課題を解決するための手段】
【０００８】
第1の態様によれば、本発明の一実施形態は、端末に使用される通知メッセージ管理方法であって、通知メッセージを提供することができる少なくとも1つのアプリケーションが、端末にインストールされており、本方法は、通知管理用のユーザインタフェース（UI）を表示するためのユーザ入力命令を検出するステップ（この命令は、端末のデスクトップ上の「設定」アイコンをタップすることなどであってもよい）と、通知管理用のユーザインタフェースを表示するステップであって、通知管理用のユーザインタフェースが、分類オプション（「分類」ボタンなど）を含む、ステップと、分類オプションを選択するためのユーザ入力命令を受信するステップと、少なくとも2つのアプリケーションタイプのオプションを表示するステップと、少なくとも2つのアプリケーションタイプの1つのアプリケーションタイプのオプションを選択するためのユーザ入力命令を検出するステップと、選択されたアプリケーションタイプに対応する少なくとも1つのアプリケーションの識別子を同じユーザインタフェースに表示し、少なくとも1つのアプリケーションの各々の通知メッセージのUIプロンプト方法の設定オプションを表示するステップと、少なくとも1つのアプリケーションのUIプロンプト方法の設定オプションに対するユーザの操作を検出するステップと、ユーザ操作の後に少なくとも1つのアプリケーションのUIプロンプト方法の設定オプションを保存するステップとを含む、通知メッセージ管理方法を提供する。
【０００９】
任意選択的に、ここでの設定オプションは、通知メッセージの1つ以上のUIプロンプト方法を有効または無効にするために使用される。その後、新しい通知メッセージを受信したときに、端末は、ここでの設定オプションに従って、通知メッセージを出す必要があるかどうか、およびどの方法をプロンプトに使用するかを決定することができる。この方法では、アプリケーションタイプに従ってアプリケーションを分類するため、1つのアプリケーションタイプを選択した後、ユーザは、アプリケーションタイプに対応するすべてのアプリケーションの通知メッセージを1つのインタフェースで設定することができ、このため、ユーザインタフェース間のユーザによる切り替え操作が低減され、通知メッセージを管理する操作効率が向上する。
【００１０】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。端末は、分類用のインタフェースを表示するために、別のインタフェース（例えば、ホームインタフェース、ロック画面インタフェース）において、ユーザ入力命令（例えば、命令は画面の1つの縁に沿って中央へスライドさせる命令または別の特定のジェスチャであってもよい）を検出し、次に、少なくとも2つのアプリケーションタイプのオプションおよびその後のステップを表示してもよい。
【００１１】
第1の態様の第1の可能な実施態様では、アプリケーションタイプが、アプリケーションの通知メッセージのUIプロンプト方法に従ってアプリケーションを分類するものである。この実施態様では、一般的に見られるUIプロンプト方法に従ってアプリケーションを分類することが提供され、これによりユーザは、通知メッセージの同じUIプロンプトを使用するアプリケーションをバッチで設定することができる。ユーザは、通知メッセージのUIプロンプト方法を使用するアプリケーションをフィルタリングするために、同じユーザインタフェースにおいて、通知メッセージのUIプロンプト方法を有効または無効にすることを選択することができる。したがって、ユーザの操作はより簡単である。
【００１２】
第1の態様の第2の可能な実施態様では、アプリケーションタイプは、アプリケーションのすべての通知メッセージを一度にブロックする、ロック画面通知、バナー、バッジ、通知パネル、ローリング通知、またはToastの少なくとも2つを含む。アプリケーションのすべての通知メッセージを一度にブロックするに対応するアプリケーションは、1つのスイッチを使用してアプリケーションの通知メッセージのすべてのUIプロンプトを有効または無効にすることができる。アプリケーションは、ユーザによって選択されてもよいし、携帯電話ベンダまたはアプリケーションプロバイダによって設定されてもよい。アプリケーションタイプに対応するアプリケーションの通知メッセージのUIプロンプト方法の設定オプションについては、表1の内容を参照されたい。任意選択的に、アプリケーションタイプは、ロック画面通知、バナー、バッジ、および通知パネルのみを含む。
【００１３】
第1の態様の第3の可能な実施態様では、アプリケーションタイプは、アプリケーションが通知メッセージを提供する頻度に従ってアプリケーションを分類するもの（すなわち、ある期間にアプリケーションが通知メッセージを提供する回数に従ってアプリケーションを分類するもの）であるか、または、アプリケーションタイプは、アプリケーションの通知メッセージが読み出される頻度に従ってアプリケーションを分類するもの（すなわち、アプリケーションの通知メッセージがある期間に読み出される回数に従ってアプリケーションを分類するもの）であるか、または、アプリケーションタイプは、現在出されている通知メッセージのプロンプト方法に従ってアプリケーションを分類するものである。この実施態様では、別の分類方法がさらに提供され、これにより、通知メッセージの管理方法がより多様化され、ユーザ要求がより容易に満たされる。
【００１４】
第1の態様の第4の可能な実施態様では、ユーザ操作の後に少なくとも1つのアプリケーションのUIプロンプト方法の設定オプションを保存するステップの後に、本方法は、新しい通知メッセージを受信するステップと、新しい通知メッセージのアプリケーションの識別子を検索するステップと、少なくとも1つのアプリケーションのUIプロンプト方法の保存された設定オプションおよび新しい通知メッセージのアプリケーションの識別子に従って新しい通知メッセージのUIプロンプト方法を決定するステップと、新しい通知メッセージのUIプロンプト方法に従って新しい通知メッセージを出すステップとをさらに含む。この実施態様における通知メッセージの設定結果は、次の通知メッセージに関する端末のプロンプトに適用される。
【００１５】
第2の態様によれば、本発明の一実施形態は、端末に使用される方法であって、通知メッセージを提供することができる少なくとも1つのアプリケーションが端末にインストールされており、本方法は、通知管理用のユーザインタフェース（UI）を表示するためのユーザ入力命令を検出するステップと、通知管理用のユーザインタフェースを表示するステップであって、通知管理用のユーザインタフェースが、分類オプションを含む、ステップと、分類オプションを選択するためのユーザ入力命令を検出するステップと、第1のUIプロンプト方法のオプションおよび第2のUIプロンプト方法のオプションを表示するステップであって、第1のUIプロンプト方法が、第2のUIプロンプト方法と異なる、ステップと、第1のUIプロンプト方法のオプションを選択するためのユーザの命令を検出するステップと、第1のUIプロンプト方法に対応する第1のアプリケーションの識別子と、第1のUIプロンプト方法に対応する第2のアプリケーションの識別子と、第1のアプリケーションの通知メッセージの第1のUIプロンプト方法のトグルを無効にするかどうかと、第2のアプリケーションの通知メッセージの第2のUIプロンプト方法のトグルを無効にするかどうかとを同じユーザインタフェースに表示するステップと、第1のアプリケーションの第1のUIプロンプト方法を無効にするためのユーザの操作および第2のアプリケーションの第1のUIプロンプト方法を無効にするためのユーザの操作を検出するステップと、第1のアプリケーションの第1のUIプロンプト方法が無効であるという設定および第2のアプリケーションの第1のUIプロンプト方法が無効であるという設定を保存するステップとを含む、方法を提供する。この実施態様は、同じタイプのアプリケーションの通知メッセージのプロンプト方法を設定するための方法を提供する。アプリケーションは、通知メッセージのプロンプト方法に従って少なくとも2つのタイプに分類される。ユーザは、第1のUIプロンプト方法に対応するアプリケーションの設定を同じインタフェースで完了させることができる、すなわち、その後アプリケーションが通知メッセージを出すために第1のUIプロンプト方法を使用し続ける必要がさらにあるかどうかを決定することができる。したがって、設定方法は、比較的高効率であり、ユーザの操
作は簡単である。
【００１６】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。端末は、分類用のインタフェースを表示するために、別のインタフェースにおいて、ユーザ入力命令（例えば、命令は、画面の1つの縁に沿って中央へスライドさせる命令であってもよいし、別の特定のジェスチャであってもよい）を検出し、次に、第1のUIプロンプト方法のオプションおよび第2のUIプロンプト方法のオプションを表示し、その後のステップを実行してもよい。
【００１７】
第2の態様の第1の可能な実施態様では、第1のUIプロンプト方法は、ロック画面通知、バナー、バッジ、通知パネル、ローリング通知、またはToastのいずれか1つであり、第2のUIプロンプト方法は、ロック画面通知、バナー、バッジ、通知パネル、ローリング通知、またはToastのいずれか1つである。この実施態様では、ユーザは、一般的に見られる同じUIプロンプト方法を使用するいくつかのアプリケーションをバッチで設定することができ、この設定方法はユーザの要求により近い。
【００１８】
第3の態様によれば、本発明の一実施形態は、端末に使用される方法であって、通知メッセージを提供することができる少なくとも1つのアプリケーションが端末にインストールされており、本方法は、通知管理用のユーザインタフェース（UI）を表示するためのユーザ入力命令を検出するステップと、通知管理用のユーザインタフェースを表示するステップであって、通知管理用のユーザインタフェースが、分類オプションを含む、ステップと、分類オプションを選択するためのユーザ入力命令を検出するステップと、少なくとも2つのアプリケーションタイプのオプションを表示するステップであって、アプリケーションタイプが、アプリケーションの通知メッセージが読み出される頻度に従ってアプリケーションを分類するものである、ステップと、少なくとも2つのアプリケーションタイプの1つのアプリケーションタイプのオプションを選択するためのユーザ入力命令を検出するステップと、選択されたアプリケーションタイプに対応する少なくとも1つのアプリケーションの識別子を同じユーザインタフェースに表示し、少なくとも1つのアプリケーションの各々の通知メッセージのすべてのUIプロンプト方法のトグルを無効にするかどうかを表示するステップと、少なくとも1つのアプリケーションのうちの一部のアプリケーションの通知メッセージのすべてのUIプロンプト方法を無効にするためのユーザの操作を検出するステップと、一部のアプリケーションの通知メッセージのすべてのUIプロンプト方法が無効であるという設定を保存するステップとを含む、方法を提供する。この方法では、特定の通知メッセージ管理方法が提供され、これにより、ユーザは、ユーザの使用習慣に従って、よく使用されるアプリケーションまたはめったに使用されないアプリケーションの通知メッセージのすべてのUIプロンプト方法を一度に有効または無効にすることができる。特に、ユーザによってそれほど使用されないアプリケーションの通知メッセージに関して、ユーザへの干渉を低減するために、この通知メッセージのすべてのUIプロンプトを一度にブロックすることができる。
【００１９】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。端末は、分類用のインタフェースを表示するために、別のインタフェースにおいて、ユーザ入力命令（例えば、命令は画面の1つの縁に沿って中央へスライドさせる命令または別の特定のジェスチャであってもよい）を検出し、次に、少なくとも2つのアプリケーションタイプのオプションおよびその後のステップを表示してもよい。
【００２０】
第3の態様の第1の可能な実施態様では、一部のアプリケーションの通知メッセージのすべてのUIプロンプト方法が無効であるという設定を保存するステップの後に、本方法は、新しい通知メッセージを受信するステップと、新しい通知メッセージが一部のアプリケーションの1つのアプリケーションに対応すると判定された場合に、新しい通知メッセージのUIプロンプトをブロックするステップとをさらに含む。この実施態様では、端末がその後に受信された通知メッセージを処理することが提供される。
【００２１】
第4の態様によれば、本発明の一実施形態は、端末であって、タッチパネルと、表示パネルと、メモリと、少なくとも1つのプロセッサと、通知メッセージを提供することができる少なくとも1つのアプリケーションと、1つ以上のプログラムであって、1つ以上のプログラムが、メモリに格納され、1つ以上のプロセッサによって実行されるように構成され、1つ以上のプログラムが命令を含み、命令が、通知管理用のユーザインタフェース（UI）を表示するためのユーザ入力命令を検出し、通知管理用のユーザインタフェースを表示し、通知管理用のユーザインタフェースが分類オプションを含み、分類オプションを選択するためのユーザ入力命令を受信し、少なくとも2つのアプリケーションタイプのオプションを表示し、少なくとも2つのアプリケーションタイプの1つのアプリケーションタイプのオプションを選択するためのユーザ入力命令を検出し、選択されたアプリケーションタイプに対応する少なくとも1つのアプリケーションの識別子を同じユーザインタフェースに表示し、少なくとも1つのアプリケーションの各々の通知メッセージのUIプロンプト方法の設定オプションを表示し、少なくとも1つのアプリケーションのUIプロンプト方法の設定オプションに対するユーザの操作を検出し、ユーザ操作の後に少なくとも1つのアプリケーションのUIプロンプト方法の設定オプションを保存するために使用される、1つ以上のプログラムとを含む、端末を提供する。この端末は、第1の態様の方法に対応し、第1の態様の関連する説明は、端末にも適用可能であり、ここでは詳細は繰り返さない。
【００２２】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。命令は、分類用のインタフェースを表示するために、別のインタフェースにおいて、ユーザ入力命令（例えば、命令は画面の1つの縁に沿って中央へスライドさせる命令または別の特定のジェスチャであってもよい）を検出し、次に、少なくとも2つのアプリケーションタイプのオプションおよびその後のステップを表示するために使用されてもよい。
【００２３】
第4の態様の第1〜第4の実施態様では、第1の態様の第1〜第4の実施態様に対応する端末がそれぞれ提供され、第1の態様の第1〜第4の実施態様の関連する説明は、第4の態様の第1〜第4の実施態様の端末にも適用可能であり、ここでは詳細は繰り返さない。
【００２４】
第5の態様によれば、本発明の一実施形態は、端末であって、タッチパネルと、表示パネルと、メモリと、少なくとも1つのプロセッサと、通知メッセージを提供することができる少なくとも1つのアプリケーションと、1つ以上のプログラムであって、1つ以上のプログラムが、メモリに格納され、1つ以上のプロセッサによって実行されるように構成され、1つ以上のプログラムが命令を含み、命令が、通知管理用のユーザインタフェース（UI）を表示するためのユーザ入力命令を検出し、通知管理用のユーザインタフェースを表示し、通知管理用のユーザインタフェースが分類オプションを含み、分類オプションを選択するためのユーザ入力命令を検出し、第1のUIプロンプト方法のオプションおよび第2のUIプロンプト方法のオプションを表示し、第1のUIプロンプト方法が第2のUIプロンプト方法と異なり、第1のUIプロンプト方法のオプションを選択するためのユーザの命令を検出し、第1のUIプロンプト方法に対応する第1のアプリケーションの識別子と、第1のUIプロンプト方法に対応する第2のアプリケーションの識別子と、第1のアプリケーションの通知メッセージの第1のUIプロンプト方法のトグルを無効にするかどうかと、第2のアプリケーションの通知メッセージの第2のUIプロンプト方法のトグルを無効にするかどうかとを同じユーザインタフェースに表示し、第1のアプリケーションの第1のUIプロンプト方法を無効にするためのユーザの操作および第2のアプリケーションの第1のUIプロンプト方法を無効にするためのユーザの操作を検出し、第1のアプリケーションの第1のUIプロンプト方法が無効であるという設定および第2のアプリケーションの第1のUIプロンプト方法が無効であるという設定を保存するために使用される、1つ以上のプログラムとを含む、端末を提供する。この端末は、第2の態様の方法に対応し、第2の態様の関連する説明は、端末にも適用可能であり、ここでは詳細は繰り返さない。
【００２５】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。命令は、分類用のインタフェースを表示するために、別のインタフェースにおいて、ユーザ入力命令（例えば、命令は、画面の1つの縁に沿って中央へスライドさせる命令であってもよいし、別の特定のジェスチャであってもよい）を検出し、次に、第1のUIプロンプト方法のオプション、第2のUIプロンプト方法のオプション、およびその後のステップを表示するために使用されてもよい。
【００２６】
第5の態様の第1の実施態様では、第2の態様の第1の実施態様に対応する端末が提供され、第2の態様の第1の実施態様の関連する説明は、第5の態様の第1の実施態様の端末にも適用可能であり、ここでは詳細は繰り返さない。
【００２７】
第6の態様によれば、本発明の一実施形態は、端末であって、タッチパネルと、表示パネルと、メモリと、少なくとも1つのプロセッサと、通知メッセージを提供することができる少なくとも1つのアプリケーションと、1つ以上のプログラムであって、1つ以上のプログラムが、メモリに格納され、1つ以上のプロセッサによって実行されるように構成され、1つ以上のプログラムが命令を含み、命令が、通知管理用のユーザインタフェース（UI）を表示するためのユーザ入力命令を検出し、通知管理用のユーザインタフェースを表示し、通知管理用のユーザインタフェースが分類オプションを含み、分類オプションを選択するためのユーザ入力命令を検出し、少なくとも2つのアプリケーションタイプのオプションを表示し、アプリケーションタイプが、アプリケーションの通知メッセージが読み出される頻度に従ってアプリケーションを分類するものであり、少なくとも2つのアプリケーションタイプの1つのアプリケーションタイプのオプションを選択するためのユーザ入力命令を検出し、選択されたアプリケーションタイプに対応する少なくとも1つのアプリケーションの識別子を同じユーザインタフェースに表示し、少なくとも1つのアプリケーションの各々の通知メッセージのすべてのUIプロンプト方法のトグルを無効にするかどうかを表示し、少なくとも1つのアプリケーションのうちの一部のアプリケーションの通知メッセージのすべてのUIプロンプト方法をユーザが無効にしたことを検出し、一部のアプリケーションの通知メッセージのすべてのUIプロンプト方法が無効であるという設定を保存するために使用される、1つ以上のプログラムとを含む、端末を提供する。この端末は、第3の態様の方法に対応し、第3の態様の関連する説明は、端末にも適用可能であり、ここでは詳細は繰り返さない。
【００２８】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。命令は、分類用のインタフェースを表示するために、別のインタフェースにおいて、ユーザ入力命令（例えば、命令は画面の1つの縁に沿って中央へスライドさせる命令または別の特定のジェスチャであってもよい）を検出し、次に、少なくとも2つのアプリケーションタイプのオプションおよびその後のステップを表示するために使用されてもよい。
【００２９】
第6の態様の第1の実施態様では、第3の態様の第1の実施態様に対応する端末が提供され、第3の態様の第1の実施態様の関連する説明は、第6の態様の第1の実施態様の端末にも適用可能であり、ここでは詳細は繰り返さない。
【００３０】
第7の態様によれば、本発明の一実施形態は、1つ以上のプログラムを格納するコンピュータ可読記憶媒体であって、1つ以上のプログラムが命令を含み、タッチパネル、表示パネル、および複数のアプリケーションを含む端末によって実行されたときに、命令が、端末が第1の態様または第1の態様の第1〜第4の実施態様のいずれかによる方法を実行することを可能にする、コンピュータ可読記憶媒体を提供する。
【００３１】
第8の態様によれば、本発明の一実施形態は、1つ以上のプログラムを格納するコンピュータ可読記憶媒体であって、1つ以上のプログラムが命令を含み、タッチパネル、表示パネル、および複数のアプリケーションを含む端末によって実行されたときに、命令が、端末が第2の態様または第2の態様の第1の実施態様による方法を実行することを可能にする、コンピュータ可読記憶媒体を提供する。
【００３２】
第9の態様によれば、本発明の一実施形態は、1つ以上のプログラムを格納するコンピュータ可読記憶媒体であって、1つ以上のプログラムが命令を含み、タッチパネル、表示パネル、および複数のアプリケーションを含む端末によって実行されたときに、命令が、端末が第3の態様または第3の態様の第1の実施態様による方法を実行することを可能にする、コンピュータ可読記憶媒体を提供する。
【００３３】
別の態様によれば、本発明の一実施形態は、端末のグラフィカル・ユーザ・インタフェースであって、端末が、タッチパネルと、表示パネルと、メモリと、複数のアプリケーションと、メモリに格納された1つ以上のプログラムを実行するように構成された1つ以上のプロセッサとを含み、グラフィカル・ユーザ・インタフェースが、通知管理を表示するように構成されたユーザインタフェースと、2つのアプリケーションタイプを表示するように構成されたユーザインタフェースと、ユーザによって選択されるアプリケーションタイプに対応する少なくとも1つのアプリケーションの識別子および少なくとも1つのアプリケーションの各々の通知メッセージのUIプロンプト方法の設定オプションを表示するように構成されたユーザインタフェースとを含み、通知管理を表示するユーザインタフェースが、分類オプションを含み、通知管理用のユーザインタフェース（UI）を表示するための検出されたユーザ入力命令に応答して、通知管理を表示するように構成されたユーザインタフェースが表示を開始し、分類オプションを選択するための検出されたユーザ入力命令に応答して、少なくとも2つのアプリケーションタイプのオプションを表示するように構成されたユーザインタフェースが表示を開始し、少なくとも2つのアプリケーションタイプのうちの1つのアプリケーションタイプを選択するための検出されたユーザ入力命令に応答して、選択されたアプリケーションタイプに対応する少なくとも1つのアプリケーションの識別子および少なくとも1つのアプリケーションの各々の通知メッセージのUIプロンプト方法の設定オプションを表示するように構成されたユーザインタフェースが表示を開始し、少なくとも1つのアプリケーションのUIプロンプト方法の設定オプションに対するユーザの操作に応答して、選択されたアプリケーションタイプに対応する少なくとも1つのアプリケーションの識別子および少なくとも1つのアプリケーションの各々の通知メッセージのUIプロンプト方法の設定オプションを表示するように構成されたユーザインタフェースの表示が変更される、グラフィカル・ユーザ・インタフェースをさらに提供する。ここでの表示の変更は、少なくとも1つのアプリケーションのUIプロンプト方法の設定オプションに対するユーザの操作に従って少なくとも1つのアプリケーションの通知メッセージのUIプロンプト方法の設定オプションの色、形状、サイズ、輝度、または透明度の少なくとも1つを変更することを指す。このグラフィカル・ユーザ・インタフェースは、第1の態様の方法に対応し、対応する説明は。グラフィカル・ユーザ・インタフェースにも適用可能である。
【００３４】
通知管理を表示するように構成された上記のユーザインタフェースは任意選択である。別のインタフェース（ホームインタフェースまたはロック画面インタフェースなど）に分類用のインタフェースを表示するためのユーザ入力命令に応答して、少なくとも2つのアプリケーションタイプのオプションを表示するように構成されたユーザインタフェースは表示を開始する。
【００３５】
別の態様によれば、本発明の一実施形態は、端末のグラフィカル・ユーザ・インタフェースであって、端末が、タッチパネルと、表示パネルと、メモリと、複数のアプリケーションと、メモリに格納された1つ以上のプログラムを実行するように構成された1つ以上のプロセッサとを含み、グラフィカル・ユーザ・インタフェースが、通知管理を表示するように構成されたユーザインタフェースと、第1のUIプロンプト方法のオプションおよび第2のUIプロンプト方法のオプションを表示するように構成されたユーザインタフェースと、アプリケーションタイプに対応する少なくとも1つのアプリケーションの識別子を表示し、少なくとも1つのアプリケーションの各々の通知メッセージのすべてのUIプロンプト方法のトグルを無効にするかどうかを表示するように構成されたユーザインタフェースとを含み、通知管理用のユーザインタフェース（UI）を表示するための検出されたユーザ入力命令に応答して、通知管理を表示するように構成されたユーザインタフェースが表示を開始し、分類オプションを選択するための検出されたユーザ入力命令に応答して、第1のUIプロンプト方法のオプションおよび第2のUIプロンプト方法のオプションを表示するように構成されたユーザインタフェースが表示を開始し、第1のUIプロンプト方法のオプションを選択するための検出されたユーザ入力命令に応答して、アプリケーションタイプに対応する少なくとも1つのアプリケーションの識別子を表示し、少なくとも1つのアプリケーションの各々の通知メッセージのすべてのUIプロンプト方法のトグルを無効にするかどうかを表示するように構成されたユーザインタフェースが表示を開始し、第1のアプリケーションの第1のUIプロンプト方法を無効にするためのユーザの操作および第2のアプリケーションの第1のUIプロンプト方法を無効にするためのユーザの操作に応答して、アプリケーションタイプに対応する少なくとも1つのアプリケーションの識別子を表示し、少なくとも1つのアプリケーションの各々の通知メッセージのすべてのUIプロンプト方法のトグルを無効にするかどうかを表示するように構成されたユーザインタフェースの表示が変更される、グラフィカル・ユーザ・インタフェースをさらに提供する。ここでの表示の変更は、第1のアプリケーションの第1のUIプロンプト方法を無効にするためのユーザの操作および第2のアプリケーションの第1のUIプロンプト方法を無効にするためのユーザの操作に従って、第1のアプリケーションの通知メッセージのすべてのUIプロンプト方法のトグルの色、形状、輝度、または透明度の少なくとも1つを変更すること、および第2のアプリケーションの通知メッセージのすべてのUIプロンプト方法のトグルの色、サイズ、形状、輝度、または透明度の少なくとも1つを変更することを含む。このグラフィカル・ユーザ・インタフェースは、第2の態様の方法に対応し、対応する説明は。グラフィカル・ユーザ・インタフェースにも適用可能である。
【００３６】
通知管理を表示するように構成された上記のユーザインタフェースは任意選択である。別のインタフェース（ホームインタフェースまたはロック画面インタフェースなど）に分類用のインタフェースを表示するためのユーザ入力命令に応答して、第1のUIプロンプト方法のオプションおよび第2のUIプロンプト方法のオプションを表示するように構成されたユーザインタフェースは表示を開始する。
【００３７】
別の態様によれば、本発明の一実施形態は、端末のグラフィカル・ユーザ・インタフェースであって、端末が、タッチパネルと、表示パネルと、メモリと、複数のアプリケーションと、メモリに格納された1つ以上のプログラムを実行するように構成された1つ以上のプロセッサとを含み、グラフィカル・ユーザ・インタフェースが、通知管理を表示するように構成されたユーザインタフェースと、少なくとも2つのアプリケーションタイプのオプションを表示するように構成されたユーザインタフェースと、ユーザによって選択されるアプリケーションタイプに対応する少なくとも1つのアプリケーションの識別子を表示し、少なくとも1つのアプリケーションの各々の通知メッセージのUIプロンプト方法の設定オプションを表示するように構成されたユーザインタフェースとを含み、通知管理用のユーザインタフェース（UI）を表示するための検出されたユーザ入力命令に応答して、通知管理を表示するように構成されたユーザインタフェースが、表示を開始し、分類オプションを選択するためのユーザ入力命令に応答して、少なくとも2つのアプリケーションタイプのオプションを表示するように構成されたユーザインタフェースが表示を開始し、少なくとも2つのアプリケーションタイプのうちの1つのアプリケーションタイプのオプションを選択するためのユーザ入力命令に応答して、ユーザによって選択されたアプリケーションタイプに対応する少なくとも1つのアプリケーションの識別子を表示し、少なくとも1つのアプリケーションの各々の通知メッセージのUIプロンプト方法の設定オプションを表示するように構成されたユーザインタフェースが表示を開始し、少なくとも1つのアプリケーションのUIプロンプト方法の設定オプションに対するユーザの操作に応答して、ユーザによって選択されたアプリケーションタイプに対応する少なくとも1つのアプリケーションの識別子および少なくとも1つのアプリケーションの各々の通知メッセージのUIプロンプト方法の設定オプションを表示するように構成されたユーザインタフェースの表示が変更される、グラフィカル・ユーザ・インタフェースをさらに提供する。ここでの表示の変更は、少なくとも1つのアプリケーションのUIプロンプト方法の設定オプションに対するユーザの操作に従って少なくとも1つのアプリケーションの通知メッセージのUIプロンプト方法の設定オプションの色、形状、サイズ、輝度、または透明度の少なくとも1つを変更することを含む。このグラフィカル・ユーザ・インタフェースは、第3の態様の方法に対応し、対応する説明は。グラフィカル・ユーザ・インタフェースにも適用可能である。
【００３８】
通知管理を表示するように構成された上記のユーザインタフェースは任意選択である。別のインタフェース（ホームインタフェースまたはロック画面インタフェースなど）に分類用のインタフェースを表示するためのユーザ入力命令に応答して、少なくとも2つのアプリケーションタイプのオプションを表示するように構成されたユーザインタフェースは表示を開始する。
【００３９】
別の態様によれば、本発明の一実施形態は、端末に使用される通知メッセージ管理方法であって、通知メッセージを提供することができる少なくとも1つのアプリケーションが端末にインストールされ、本方法が、通知管理用のユーザインタフェース（UI）を表示するためのユーザ入力命令を検出するステップと、通知管理用のユーザインタフェースを表示するステップであって、通知管理用のユーザインタフェースが、分類オプションを含む、ステップと、分類オプションを選択するためのユーザ入力命令を検出するステップと、少なくとも2つのアプリケーションタイプのオプションを表示するステップであって、アプリケーションタイプが、現在表示されている通知メッセージのUIプロンプト方法に従ってアプリケーションを分類するものである、ステップと、少なくとも2つのアプリケーションタイプの第1のアプリケーションタイプのオプションを選択するためのユーザ入力命令を検出するステップと、第1のアプリケーションタイプに対応する少なくとも1つのアプリケーションの識別子を同じユーザインタフェースに表示し、少なくとも1つのアプリケーションの各々に対応するキャンセルボタンを表示するステップであって、キャンセルボタンが、第1のアプリケーションに対応するUIプロンプトであって、対応するアプリケーションの通知メッセージのUIプロンプトをキャンセルするために使用される、ステップと、少なくとも1つのアプリケーションのうちの一部のアプリケーションの通知メッセージのUIプロンプトをキャンセルするためのユーザの操作を検出するステップと、第1のアプリケーションタイプに対応するUIプロンプトであって、一部のアプリケーションの通知メッセージのUIプロンプトをキャンセルするステップとを含む、通知メッセージ管理方法をさらに提供する。この方法は、ユーザがUIプロンプト方法に従って、UIプロンプトを実行している通知メッセージのプロンプトをバッチでキャンセルすることを可能にする。これにより、ユーザが1つのアプリケーションに対して操作を行う面倒がなくなり、通知メッセージのプロンプトをキャンセルする効率が向上する。任意選択的に、アプリケーションタイプは、バッジまたは通知パネルを含む。
【００４０】
任意選択的に、通知管理用のユーザインタフェースを表示するための命令を検出する上記のステップ、通知管理を表示するためのユーザインタフェースにアクセスする上記のステップ、および分類オプションを選択するためのユーザ命令を受信する上記のステップは省略されてもよい。端末は、分類用のインタフェースを表示するために、別のインタフェースにおいて、ユーザ入力命令（例えば、命令は画面の1つの縁に沿って中央へスライドさせる命令または別の特定のジェスチャであってもよい）を検出し、次に、少なくとも2つのアプリケーションタイプのオプションおよびその後のステップを表示してもよい。
【００４１】
別の態様によれば、本発明の一実施形態は、タッチパネル、表示パネル、メモリ、少なくとも1つのプロセッサ、および通知メッセージを提供することができる少なくとも1つのアプリケーション、および1つ以上のプログラムを含む端末であって、1つ以上のプログラムが、メモリに格納され、1つ以上のプロセッサによって実行されるように構成され、1つ以上のプログラムが命令を含み、命令が、上記の別の態様で提供される方法を実行するために使用される、端末を提供する。
【００４２】
別の態様によれば、本発明の一実施形態は、端末のグラフィカル・ユーザ・インタフェースであって、端末が、タッチパネルと、表示パネルと、メモリと、複数のアプリケーションと、メモリに格納された1つ以上のプログラムを実行するように構成された1つ以上のプロセッサとを含み、グラフィカル・ユーザ・インタフェースが、通知管理を表示するように構成されたユーザインタフェースと、少なくとも2つのアプリケーションタイプのオプションを表示するように構成されたユーザインタフェースと、ユーザによって選択されるアプリケーションタイプに対応する少なくとも1つのアプリケーションの識別子を表示し、少なくとも1つのアプリケーションの各々の通知メッセージのUIプロンプト方法の設定オプションを表示するように構成されたユーザインタフェースとを含み、通知管理用のユーザインタフェース（UI）を表示するための検出されたユーザ入力命令に応答して、通知管理を表示するように構成されたユーザインタフェースが、表示を開始し、分類オプションを選択するためのユーザ入力命令に応答して、少なくとも2つのアプリケーションタイプのオプションを表示するユーザインタフェースが表示を開始し、少なくとも2つのアプリケーションタイプのうちの第1のアプリケーションタイプのオプションを選択するためのユーザ入力命令に応答して、第1のアプリケーションタイプに対応する少なくとも1つのアプリケーションの識別子を表示し、少なくとも1つのアプリケーションの各々に対応するキャンセルボタンを表示するように構成されたユーザインタフェースが表示を開始し、少なくとも1つのアプリケーションの一部のアプリケーションの通知メッセージのUIプロンプトをキャンセルするためのユーザの操作に応答して、ユーザによって選択されたアプリケーションタイプに対応する少なくとも1つのアプリケーションの識別子および少なくとも1つのアプリケーションの各々の通知メッセージのUIプロンプト方法の設定オプションを表示するように構成されたユーザインタフェースの表示が変更される、グラフィカル・ユーザ・インタフェースをさらに提供する。ここでの表示の変更は、少なくとも1つのアプリケーションの一部のアプリケーションの通知メッセージのUIプロンプトをキャンセルするためのユーザの操作に従って一部のアプリケーションの通知メッセージのUIプロンプト方法の設定オプションの色、形状、サイズ、輝度、または透明度の少なくとも1つを変更することを含む。このグラフィカル・ユーザ・インタフェースは、第3の態様の方法に対応し、対応する説明は。グラフィカル・ユーザ・インタフェースにも適用可能である。
【００４３】
通知管理を表示するように構成された上記のユーザインタフェースは任意選択である。別のインタフェース（ホームインタフェースまたはロック画面インタフェースなど）に分類用のインタフェースを表示するためのユーザ入力命令に応答して、少なくとも2つのアプリケーションタイプのオプションを表示するように構成されたユーザインタフェースは表示を開始する。
【００４４】
上記の技術的解決策に基づいて、端末は、より簡単な通知メッセージ管理方法およびより高効率のユーザインタフェースをユーザに提供することができ、これにより、ユーザは、アプリケーションタイプに従ってアプリケーションのバッチ管理を実施する。さらに、端末は、よりパーソナライズされた選択肢、例えば、通知メッセージのプロンプト方法に従ってアプリケーションを分類することをユーザに提供することができる。
【図面の簡単な説明】
【００４５】
【図１Ａ】携帯電話の通知管理のためのユーザインタフェースの概略図である。
【図１Ｂ】携帯電話の図1Aの通知管理のためのユーザインタフェースの操作の実行の概略図である。
【図１Ｃ】携帯電話のカレンダー通知を設定するためのユーザインタフェースの概略図である。
【図２Ａ】通知メッセージを表示するためにバナーを使用するユーザインタフェースの概略図である。
【図２Ｂ】ロック画面通知のユーザインタフェースの概略図である。
【図２Ｃ】通知パネルに通知メッセージを表示するユーザインタフェースの概略図である。
【図２Ｄ】通知メッセージを表示するためにバッジを使用するユーザインタフェースの概略図である。
【図３Ａ】携帯電話のハードウェアの概略構成図である。
【図３Ｂ】本発明の一実施形態による通知メッセージ管理方法の概略図である。
【図３Ｃ】本発明の一実施形態による、アプリケーションの通知メッセージのUIプロンプト方法のテーブルである。
【図４Ａ】本発明の一実施形態によるユーザインタフェースの概略図である。
【図４Ｂ】本発明の一実施形態のシナリオ1によるユーザインタフェースの概略図である。
【図４Ｃ】本発明の一実施形態のシナリオ1による別のユーザインタフェースの概略図である。
【図４Ｄ】本発明の一実施形態のシナリオ1によるさらに別のユーザインタフェースの概略図である。
【図４Ｅ】本発明の一実施形態のシナリオ1によるさらに別のユーザインタフェースの概略図である。
【図４Ｆ】本発明の一実施形態のシナリオ1によるさらに別のユーザインタフェースの概略図である。
【図５Ａ】本発明の一実施形態のシナリオ2による、アプリケーションを分類するための方法のフローチャートである。
【図５Ｂ】本発明の一実施形態のシナリオ2によるユーザインタフェースの概略図である。
【図５Ｃ】本発明の一実施形態のシナリオ2による別のユーザインタフェースの概略図である。
【図６Ａ】本発明の一実施形態のシナリオ3による、アプリケーションを分類するための方法のフローチャートである。
【図６Ｂ】本発明の一実施形態のシナリオ3によるユーザインタフェースの概略図である。
【図６Ｃ】本発明の一実施形態のシナリオ3による別のユーザインタフェースの概略図である。
【図７Ａ】本発明の一実施形態のシナリオ4によるユーザインタフェースの概略図である。
【図７Ｂ】本発明の一実施形態のシナリオ4による別のユーザインタフェースの概略図である。
【発明を実施するための形態】
【００４６】
本発明の目的、技術的解決策、および利点をより明確にするために、以下では、添付図面を参照して本発明をさらに詳細に説明する。
【００４７】
本発明の実施形態における端末は、携帯電話、タブレットコンピュータ、PDA（Personal Digital Assistant、パーソナル・デジタル・アシスタント）、またはPOS（Point of Sales、ポイント・オブ・セールス）などを含む。少なくとも1つのアプリケーションが端末にインストールされ、アプリケーションは通知メッセージを提供することができる。端末が外部アプリケーションAから通知メッセージを受信することができる、または端末がローカル情報に従ってアプリケーションAの通知メッセージを生成することができる場合、アプリケーションAは、通知メッセージを提供することができる。
【００４８】
本発明の実施形態におけるアプリケーションの通知メッセージは、アプリケーションに関する何らかの情報をユーザに通知するために使用され、通知メッセージは、情報のダイジェストであっても情報自体であってもよく、また場合によっては、通知メッセージは、情報の送信者、送信時刻、またはアプリケーションアイコンなどをさらに含む。例えば、SMSアプリケーションの通知メッセージは、端末が新しいSMSメッセージを受信したことまたはSMSメッセージの送信に成功したことをユーザに通知することができる。ダイヤルアプリケーションの通知メッセージは、端末にいくつかの不在着信があったことをユーザに通知することができる。アプリケーションマーケットの通知メッセージは、一部のアプリケーションの新しいバージョンをダウンロードすることができることをユーザに通知することができる。カレンダーアプリケーションの通知メッセージは、指定のリマインド時刻に既に達していることなどをユーザに通知することができる。通知メッセージは、アプリケーションサーバからのもの（例えば、ゲームサーバによって送信される通知メッセージ）であってもよいし、端末のプロセッサによって生成されてもよく（例えば、カレンダーアプリケーションの通知メッセージであってもよく）、通知メッセージのソースは、本発明の実施形態では限定されない。
【００４９】
本発明の実施形態における「オプション」は、ユーザインタフェース（User Interface、UI）内のボタン（421など）またはテーブル（table）内のサブアイテム（401など）などを含む。ユーザが「オプション」を選択すると、端末はそのオプションに対応するユーザインタフェースを表示する。例えば、ポップアップウィンドウが、選択操作の前に表示されていたユーザインタフェースに重ねられるか、あるいは選択操作の前に表示されていたユーザインタフェースが、オプションに対応するユーザインタフェースに切り替えられる。あるいは、ユーザが、「オプション」のトグルで設定操作を行ったとき、「オプション」のトグルの色、形状、サイズ、輝度、または透明度の少なくとも1つが変更される。
【００５０】
本発明の実施形態における通知メッセージは、複数の方法で出されてもよい。視覚リマインダは、携帯電話の画面上に通知メッセージを表示すること、すなわち、ユーザインタフェースを使用して通知メッセージを出すことをさらに含む。ユーザインタフェースを使用して通知メッセージを出す方法、すなわち通知メッセージのUIプロンプト方法は、（1）バナー、すなわちヘッドアップ通知（Heads−up notification）、（2）ロック画面通知（Lockscreen notification）、（3）バッジ（Badge）、（4）通知パネル（notification panel）、（5）ローリング通知（rolling notification）、または（6）トースト（Toast）などの少なくとも1つをさらに含む。
【００５１】
Heads−up notificationでは、一般に、小さなフローティングウィンドウが、ユーザにプロンプトを出すために、非ロック画面インタフェースの画面上部に表示され、これにより、ユーザは、現在のブラウジングインタフェースを終了することなく迅速に通知に応答することができる。Heads−up notificationは、クリアのためのスライドアップおよび通知パネルへのスライドダウンをサポートしてもよく、また、着信応答または着信拒否などのいくつかの操作オプションをさらに表示してもよい。例えば、図2Aに示すように、ホームインタフェースの上部に、天気アプリケーションの通知メッセージがHeads−up notification方法で表示される。
【００５２】
ロック画面通知は、ロック画面インタフェースに表示される通知である。例えば、電子メールアプリケーションの通知メッセージおよび天気アプリケーションの通知メッセージが、図2Bに示すロック画面インタフェースの中央に表示される。
【００５３】
通知パネルのプロンプト方法は、ドロワー（drawer）タイプの通知パネルが表示された後にユーザが通知に関する詳細情報を見ることができるようにする。例えば、図2Cは、通知パネルのユーザインタフェースを示す。いくつかの一般的に見られる設定オプションを含むことに加えて、通知パネルのインタフェースは、電子メールアプリケーションの通知メッセージおよび天気アプリケーションの通知メッセージをさらに含む。1つ以上の通知メッセージは、インタフェースの下部にあるゴミ箱ボタンを使用して削除することができる。
【００５４】
バッジのプロンプト方法は、一般に、アプリケーションアイコンの右上隅に通知メッセージの量を表示することである。例えば、図2Dに示すように、電話アイコンの右上隅のバッジ201は、2であり、2つの不在着信があることを示し、SMSメッセージアイコンの右上隅のバッジ202は、3であり、3つの未読SMSメッセージがあることを示す。
【００５５】
Toastは、一般に、非ロック画面インタフェースの画面の下部からポップアップするフローティングウィンドウであり、簡単な通知メッセージを出すために使用されるが、何かしらの操作オプションを表示することはできない。また、Toastの位置は、画面の別の位置であってもよい。
【００５６】
ローリング通知は、一般に、非ロック画面インタフェースの画面のステータスバーまたは別の位置にあり、通知メッセージのコンテンツは、ローリング方法で表示される。
【００５７】
通知メッセージのプロンプト方法を決定するための多くの実施態様が存在する。背景技術で説明した内容に加えて、中国特許出願第104636142号明細書で提供される方法などのいくつかの他の実施態様が存在し、そこでは、目的の異なるプッシュメッセージが、異なる期間に従ってプッシュされ得る。過去10日間に様々なアプリケーションによって受信された通知をカウントすることができ、各アプリケーションによって受信されたアプリケーションテーブルおよび通知メッセージが、通知管理のためのインタフェースに表示され、これにより、ユーザは、アプリケーションの通知またはいくつかのアプリケーションの通知をブロックするかどうかを決定することができる。しかしながら、この通知管理方法は、依然として単一のアプリケーションに基づいており、アプリケーションを分類しない。したがって、設定効率は高くない。
【００５８】
さらに、中国語特許出願第104598238号明細書で提供される方法がさらに存在し、そこでは、アプリケーション・プログラム・テーブル（例えばニュースタイプ、ゲームタイプ、およびインスタントメッセージングタイプ）が配置され、分類管理が行われ得る。ユーザは、「ソーシャルタイプを予約する」を選択することができ、この場合、ソーシャルプログラムのメッセージプッシュリマインドが有効になり、別のアプリケーションプログラムのメッセージプッシュサービスは無効になる。ユーザが「すべてを復元する」ボタンをタップすると、インテリジェント端末は、サードパーティ・アプリケーション・プログラムの通知ブロック機能をキャンセルし、サードパーティ・アプリケーション・プログラムのメッセージプッシュ機能が有効になる。しかしながら、この通知管理方法は、アプリケーション分類に基づくが、分類は、アプリケーションがニュースタイプ、ソーシャルタイプ、またはインスタントメッセージングタイプに属するかどうかのみに基づき得る。バッチ管理のためのこの分類方法は、比較的個別的であり、十分に多様化されておらず、依然としてユーザの実際の要求を必ずしも満たさない。
【００５９】
本発明の実施形態における端末は、アプリケーションの通知メッセージのUIプロンプト方法に基づいて、またはアプリケーションの通知メッセージがユーザによって開かれた頻度に基づいて、またはある期間におけるアプリケーションの通知メッセージの量に従って、または現在出されている通知メッセージのプロンプト方法に従って、アプリケーションを少なくとも2つのカテゴリーに分類する。端末は、同じ分類基準ですべてのアプリケーションタイプを表示することができる。ユーザがアプリケーションタイプを選択すると、端末は、同じユーザインタフェースにそのアプリケーションタイプのすべてのアプリケーションを表示し、表示される各アプリケーションは、少なくとも1つのUIプロンプト方法のオプションを有する。ユーザインタフェースでは、ユーザは、いくつかのインタフェース間で複数回切り替える必要なく、オプションを使用してバッチで、同じアプリケーション分類に属するすべてのアプリケーションの通知メッセージのプロンプト方法を設定することができる。したがって、本発明の実施形態における通知メッセージの設定方法は、ユーザが自発的に選択を行うことを可能にし、設定方法は、比較的多様であり、設定効率が高く、操作がより容易である。
【００６０】
「第1の」および「第2の」などの用語は、この明細書では様々なアプリケーションタイプまたはUIプロンプト方法を説明するために使用され得るが、アプリケーションタイプまたはUIプロンプト方法は、これらの用語によって制限されてはならないことをさらに理解されたい。これらの用語は、あるアプリケーションタイプを別のアプリケーションタイプから区別するために、またはあるUIプロンプト方法を別のUIプロンプト方法から区別するために使用されるに過ぎない。
【００６１】
図3Aは、本発明の一実施形態による携帯電話300の概略構成図である。携帯電話300は、RF（Radio Frequency、無線周波数）回路、メモリ、入力ユニット、表示ユニット、センサ、可聴周波数回路、WiFi（wireless fidelity、ワイヤレスフィデリティ）モジュール、プロセッサ、および電源などの構成要素を含む。当業者であれば、図3Aに示す携帯電話の構成は携帯電話に制限を課すものではなく、携帯電話は、図に示されているものに比べて多いまたは少ない構成要素を含んでもよいし、いくつかの構成要素を組み合わせてもよいし、異なる構成要素の配置を有してもよいことを理解することができる。以下、図3Aを参照して、携帯電話300の構成要素について具体的に説明する。
【００６２】
RF回路は、情報の送受信処理または通話処理において信号、例えばアプリケーションの通知メッセージを送受信するように構成される。特に、基地局のダウンリンク情報を受信した後、RF回路は、処理のためにダウンリンク情報をプロセッサに送信するとともに、設計されたアップリンクデータを基地局に送信する。一般に、RF回路は、アンテナ、少なくとも1つの増幅器、トランシーバ、カプラ、LNA（Low Noise Amplifier、低雑音増幅器）、またはデュプレクサなどを含むが、これらに限定されない。さらに、RF回路110は、ワイヤレス通信によってネットワークおよび別のデバイスと通信することができる。ワイヤレス通信のために通信規格またはプロトコルが使用されてもよく、これらは、GSM（登録商標）（Global System of Mobile communication、グローバル移動体通信システム）、GPRS（General Packet Radio Service、汎用パケット無線サービス）、CDMA（Code Division Multiple Access、符号分割多元接続）、WCDMA（登録商標）（Wideband Code Division Multiple Access、広帯域符号分割多元接続）、LTE（Long Term Evolution、ロング・ターム・エボリューション）、電子メール、およびSMS（Short Messaging Service、ショート・メッセージ・サービス）などを含むが、これらに限定されない
【００６３】
メモリは、プログラムおよびモジュールを格納するように構成され、プロセッサは、メモリに格納されたソフトウェアプログラムおよびモジュールを実行して、入力ユニット（タッチパネル）および表示ユニット（表示パネル）などの構成要素に携帯電話の様々な機能アプリケーションを実行させ、データ処理を行わせる。メモリは、主にプログラム記憶領域およびデータ記憶領域を含むことができる。プログラム記憶領域は、オペレーティングシステムおよび少なくとも1つの機能（サウンド再生機能、画像再生機能、ダイヤル機能、またはSMSメッセージの送受信機能など）によって必要とされるアプリケーションなどを格納してもよく、データ記憶領域は、携帯電話300の使用に応じて作成されたデータ（アプリケーションの通知メッセージまたは通知メッセージのUIプロンプト方法など）を格納してもよい。さらに、メモリは、高速ランダム・アクセス・メモリを含んでもよく、少なくとも1つの磁気ディスク記憶構成要素、フラッシュメモリ構成要素などの不揮発性メモリまたは別の揮発性固体記憶構成要素をさらに含んでもよい。
【００６４】
入力ユニットは、入力された数字または文字情報を受信し、携帯電話300のユーザ設定および携帯電話300の機能制御に関連するキー信号入力を生成するように構成される。具体的には、入力ユニットは、タッチパネルおよび別の入力デバイスを含んでもよい。タッチ画面とも呼ばれるタッチパネルは、タッチ操作（例えば、指またはスタイラスなどの任意の適切な物体または付属品を使用してユーザがタッチパネルでまたはタッチパネルの近くで行う操作）を収集し、予め設定されたプログラムに従って対応する接続装置を駆動することができる。タッチパネルは、タッチ検出装置とタッチコントローラとの2つの部分を含む。タッチ検出装置は、ユーザのタッチ位置を検出し、タッチ操作によって生じた信号を検出し、この信号をタッチコントローラに送信する。タッチコントローラは、タッチ検出装置からタッチ情報を受信し、タッチ情報をタッチ点座標に変換し、タッチ点座標をプロセッサに送信し、プロセッサによって送信されたコマンドを受信して実行することができる。さらに、タッチパネルは、抵抗タイプ、容量タイプ、赤外線、または表面弾性波などの複数のタイプで実施されてもよい。入力ユニットは、タッチパネルに加えて別の入力デバイスをさらに含んでもよい。具体的には、別の入力デバイスは、物理キーボード、機能キー（音量調節キーまたはオン／オフキーなど）、トラックボール、マウス、またはジョイスティックなどの1つ以上を含んでもよいが、これらに限定されない。
【００６５】
表示ユニットは、ユーザによって入力された情報またはユーザに提供された情報（通知メッセージなど）および携帯電話100の様々な操作インタフェースを表示するように構成される。表示ユニットは、表示パネルを含んでもよい。任意選択的に、表示パネルは、LCD（Liquid Crystal Display、液晶ディスプレイ）またはOLED（Organic Light−Emitting Diode、有機発光ダイオード）などを使用して構成されてもよい。さらに、タッチパネルは、表示パネルを覆っていてもよい。タッチパネルまたはその近くでタッチ操作を検出すると、タッチパネルは、タッチイベントのタイプを判定するためにタッチ操作をプロセッサに送信し、次に、プロセッサは、タッチイベントのタイプに従って表示パネルに、対応する視覚出力を提供する。図3Aでは、タッチパネルおよび表示パネルは、携帯電話300の入力および入力機能を実施する2つの独立したモジュールとして使用されているが、一部の実施形態では、携帯電話300の入出力機能を実施するために、タッチパネルと表示パネルは一体化されてもよい。本発明のこの実施形態の表示パネルは、ユーザの様々な命令に従って、通知管理用のユーザインタフェースと、アプリケーションタイプを含むユーザインタフェースと、同じアプリケーションタイプのすべてのアプリケーションおよびアプリケーションの通知メッセージのUIプロンプト方法の設定オプションを含むユーザインタフェースとを別々に表示するように構成される。タッチパネルは、分類インタフェースにアクセスするためのユーザ入力命令（「分類」オプションのタップおよび選択など）およびあるアプリケーションタイプのすべてのアプリケーションの通知メッセージのUIプロンプト方法設定インタフェースにアクセスするためのユーザ入力命令を受信するように構成される。
【００６６】
図3Bは、本発明の一実施形態による、アプリケーションの通知メッセージを管理する処理の概略図である。311は、アプリケーションの通知メッセージのプロンプト方法を管理するためのいくつかの動作を示し、ユーザは、図4A〜図4Fに示すいくつかのユーザインタフェースを使用してアプリケーションの通知メッセージのプロンプト方法を設定することができる。設定が完了すると、プロセッサは、設定結果をメモリ内の少なくとも1つのデータ設定項目に格納し（310）、新しい通知メッセージが到着したと判定したとき、プロセッサは、データ設定項目を読み出し、読み出したデータ設定項目に従って新しい通知メッセージのユーザインタフェースを描画し（312）、アプリケーションタイプに対応するアプリケーションのテーブルのユーザインタフェース（図4Fに示すような）を描画する必要があると判定したとき、プロセッサは、データ設定項目を読み出し、読み出したデータ設定項目に従って、アプリケーションタイプに対応するアプリケーションのテーブル（またはオプション）のユーザインタフェースを描画する（313）。
【００６７】
ユーザがアプリケーションの通知メッセージのプロンプト方法を設定する前に、携帯電話ベンダまたはアプリケーションプロバイダは、アプリケーションの通知メッセージのプロンプト方法に関していくつかの初期設定を行ってもよく、これは本発明では限定されないことが理解されよう。ユーザインタフェースを描画するとき、メモリ内のデータ設定項目を読み出すことに加えて、プロセッサは、いくつかの他の構成データをさらに読み出す必要があり得る。この部分については、従来技術を参照することとし、ここでは詳細な説明は省略する。
【００６８】
データ設定項目は、各アプリケーションの通知メッセージのプロンプト方法を格納するために使用される。例えば、1つのデータ設定項目は、図3Bに示すデータ設定項目1のコンテンツのように、少なくとも1つのアプリケーションの識別子と、各アプリケーションの各プロンプト方法が有効かどうかの切替値とを格納してもよい。
【００６９】
図3Cは、通知メッセージを提供することができる、端末に格納されたアプリケーションの通知メッセージのUIプロンプト方法のマッピング関係の概略図であり、各行は、1つのアプリケーションを表し、各列は、通知メッセージの1つのUIプロンプト方法を表し、「オン」は、その行のアプリケーションの、その列の通知メッセージのUIプロンプト方法が有効であることを示し、「オフ」は、その行のアプリケーションの、その列の通知メッセージのUIプロンプト方法が無効であることを示す。マッピング関係は、少なくとも1つのデータ項目によって格納されてもよい。プロセッサが上記のステップ312を実行するとき、例えば、端末がSMSメッセージの通知メッセージのUIインタフェースを描画するとき、プロセッサは、Xの方向に沿ってマッピング関係を読み出して、SMSメッセージが通知パネルおよびバッジの方法で出されるべきであると判定することができる。上記のステップ313が実行されるとき、例えば、プロセッサが、バナーに対応するアプリケーションのテーブルのユーザインタフェースを描画する必要があるとき、プロセッサは、Yの方向に沿ってマッピング関係を読み出して、バナーに対応するアプリケーションはブラウザ、電子メール、音楽、写真、SMSメッセージ、およびゲームであると判定してもよい。
【００７０】
一実施態様では、タッチパネルが、ユーザの分類インタフェースを表示するための命令（例えば、ユーザが通知管理インタフェース上の「分類」ボタンをタップする操作、ホームインタフェース上でのユーザの特定のジェスチャ、ユーザが特定の仮想キーを押すこと、またはユーザが特定のアイコンを押すこと）を検出したとき、表示パネルは、図4Aに示す分類ユーザインタフェースを表示する。分類ユーザインタフェースは、バナー、バッジ、および通知パネルの3つのアプリケーションタイプを含み、さらに「キャンセル」ボタンを含む。タッチパネルが、ユーザが「バナー」オプション401をタップした操作を検出すると、プロセッサは、上記のデータ設定項目を読み出し、表示パネルは、図4Fに示すユーザインタフェースを表示する、すなわち、「バナー」プロンプト方法が有効であるすべてのアプリケーションおよび対応する設定ボタンを表示する。ユーザは、このインタフェースで、これらのアプリケーション（ブラウザ、電子メール、音楽、写真、SMSメッセージ、およびゲーム）の通知メッセージを、引き続き「バナー」を使用して今までどおり出すべきかどうかを設定することができる。
【００７１】
以下では、説明のためにいくつかの具体的なシナリオを使用する。
【００７２】
シナリオ1
【００７３】
プロセッサは、メモリ内のデータ設定項目（1つのキーをタップすることによって通知メッセージの少なくとも2つのプロンプト方法を有効または無効にする、ロック画面通知、バナー、バッジ、通知パネル、ローリング通知、またはToastのうち少なくとも2つを含む）のコンテンツを読み出し、アプリケーションの通知メッセージのUIプロンプト方法に従って、通知メッセージを提供することができる、メモリにインストールされたすべてのアプリケーションを分類する。このシナリオでは、アプリケーションは、アプリケーションの通知メッセージのプロンプト方法のタイプに従って分類されることが理解されよう。同じアプリケーションに対しては通知メッセージの複数のプロンプト方法があり得るため、同じのアプリケーションを2つ以上のアプリケーションタイプに分類することができ、これは本発明では限定されない。
【００７４】
「1つのキーをタップすることによって通知メッセージの少なくとも2つのプロンプト方法を有効または無効にする」に対応するアプリケーションの場合、アプリケーションの通知メッセージの視覚的なプロンプト方法の設定オプションのトグルは、通知メッセージのすべてのUIプロンプト方法を有効にするかどうか、または通知メッセージのいくつかの特定のUIプロンプト方法（例えば、ロック画面通知とバッジ、または通知パネルとロック画面通知とバナー通知であってもよい）を有効にするかどうかあってもよく、これは特に、ユーザによって設定されてもよいし、携帯電話メーカーによって設定されてもよい。
【００７５】
以下の表1は、アプリケーションタイプと通知メッセージのUIプロンプト方法の設定オプションとの対応関係を示す。
【００７６】
【表１】
2019507401.tif 000003
【００７７】
以下、図3Aおよび図4B〜図4Fを参照して説明する。
【００７８】
表示パネルは、非ロック画面インタフェース（例えば、ホームインタフェース、すなわち通常は、ロック解除後に表示される最初のインタフェース）を表示する。ユーザは、表示パネルに表示された非ロック画面インタフェース内のステータスバーをドロップダウンし、ステータスバー内の「設定」ボタンをタップし、表示パネルは、設定の複数のサブオプションを表示する。タッチパネルは、ユーザが「通知管理」ボタンをタップしたことを検出し、表示パネルは通知管理インタフェースを表示する（図4Bに示すように）。通知管理インタフェースにアクセスする方法はこれに限定されないことが理解されよう。例えば、ユーザは、ホームインタフェース内の「設定」アイコンをさらにタップしてもよく、表示パネルは、設定の複数のサブオプションを表示する。タッチパネルは、ユーザが「通知管理」ボタンをタップしたことを検出し、表示パネルは通知管理インタフェースを表示する。
【００７９】
図4Bに示すユーザインタフェースの上部は、一般的に見られるステータスバーであり、ステータスバーに含まれるアイコンは、図1Aと同様であり、ここでは詳細な説明は省略する。複数のアプリケーションのオプションは、通知管理のオプションの下にあり、これらのアプリケーションは、携帯電話に現在インストールされている、通知メッセージを提供することができるアプリケーションである。図4Bの中央は、アプリケーションテーブル（Table）420を含む。このテーブルは、複数の項目を含み、上から下へ順に、これらの項目は、「ブラウザ」項目422、「電子メール」項目423、「音楽」項目、「写真」項目、「SMSメッセージ」項目、「ゲーム」アイテム、および「淘宝」項目を含む。さらに、図4Bに示すインタフェースの下部の近くの位置にさらに「分類」ボタン421がある（任意選択的に、「分類」項目を、アプリケーションテーブルに追加することもできる）。タッチパネルが、ユーザが「SMSメッセージ」項目をタップしたことを検出すると、表示パネルは、図4Cに示すユーザインタフェースを表示する。ユーザは、ユーザインタフェースにおいてSMSメッセージのプロンプト方法を設定することができ、「すべて許可」オプション432のトグル434は、通知パネル、バッジ、バナー、ロック画面通知、および音声プロンプトを含むすべてのプロンプト方法を無効に設定するために使用されるか、またはすべてのプロンプト方法の一部が有効にされてもよい。「通知パネル」オプションのトグルは、通知パネルのプロンプト方法を有効にするかどうかを設定するために使用される。「バッジ」オプションのトグルは、バッジのプロンプト方法を有効にするかどうかを設定するために使用される。「バナー」オプションのトグルは、バナーのプロンプト方法を有効にするかどうかを設定するために使用される。「ロック画面」オプションのトグルは、ロック画面のプロンプト方法を有効にするかどうかを設定するために使用される。「画面がロックされているときに機密コンテンツを隠す」のトグルは、画面がロックされているときに表示される通知メッセージが機密コンテンツ（銀行口座または金額などの情報）を含むかどうかを設定するために使用される。「音声プロンプトを無効にする」オプションのトグルは、通知メッセージの音声プロンプトを有効にするかどうかを設定するために使用される。図4Cの下部はナビゲーションバーであり、ここでは詳細な説明は省略する。ユーザ設定後のユーザインタフェースが図4Cに示すものである場合、ユーザは、図4Cに示すインタフェースを終了するために戻るボタン431をタップし、次に、プロセッサは、SMSメッセージの通知メッセージのプロンプト方法をメモリ内のデータ設定項目に格納する。SMSメッセージの通知メッセージのプロンプト方法は、通知パネル、バナー、ロック画面通知、機密コンテンツを除くロック画面通知、および音声プロンプトである。バッジはユーザによって選択されていないため、バッジのプロンプト方法は無効のままである。
【００８０】
タッチパネルが、通知管理用のユーザインタフェース内の「分類」項目を（図4Dに示すように）タップするユーザの操作を検出すると、プロセッサは、上記の分類結果に従ってアプリケーションの分類用のユーザインタフェースを描画し、表示パネルは、分類用のポップアップウィンドウを表示する。図4Eに示すように、ポップアップウィンドウは、5つの選択可能な分類オプション、すなわち「アプリケーションのすべての通知メッセージを一度にブロックする」オプション451、「通知パネル」、「バナー」、「バッジ」、および「ロック画面通知」を含む。ポップアップウィンドウは、「キャンセル」ボタンをさらに含む。
【００８１】
タッチパネルが、「バナー」オプションをタップするユーザの操作を検出すると、表示パネルは、図4Fに示すユーザインタフェースを表示する。
【００８２】
図4Fに示すユーザインタフェースは、上から下へ順にステータスバー461、「バナー」のテーブルバー（Table bar）462、「ALL」オプション463、アプリケーションテーブル（Table）463、およびナビゲーションバー464を含む。バナーのテーブルバーの左側は、矢印形状の戻るボタン465を含み、戻るボタン465は、図4Eに示すユーザインタフェースに戻るために使用される。「ALL」オプションのトグルが無効にされると、プロセッサは、あるタイプのアプリケーションの通知メッセージのバナーのプロンプト方法を無効にする。このタイプのアプリケーションのバナーのプロンプト方法は現在有効になっている。ALLオプションのトグルが有効になっているとき、ユーザは、このタイプのアプリケーションの各アプリケーションのバナーのプロンプト方法を有効にするかどうかを選択することできる。アプリケーションテーブルは、このタイプのアプリケーションのすべてのオプション、すなわち「ブラウザ」オプション、「電子メール」オプション、「音楽」オプション、「写真」オプション、「SMSメッセージ」オプション、および「ゲーム」オプションを含む。各アプリケーションのオプションは、アプリケーションアイコンと、アプリケーション名と、アプリケーションの通知メッセージのバナープロンプト方法を無効にするかどうかを設定するために使用される、オプションの右側に配置されたトグルとを含む。ユーザ設定後のユーザインタフェースが図4Fに示すものであり、ユーザが図4Fに示すユーザインタフェースを終了するために戻るボタンをタップしたとき、プロセッサは、このタイプのアプリケーションのバナーのプロンプト方法に関する設定をメモリ内のデータ設定項目に格納する。
【００８３】
図4Bおよび図4Cでは、「SMSメッセージ」オプションのみが選択される例が使用されていることに留意されたい。別のアプリケーションのオプションが選択された場合、別のアプリケーションの通知メッセージのプロンプト方法のための設定インタフェースは図4Cと同様である。
【００８４】
同様に、図4Eのユーザインタフェースは一例に過ぎない。また、分類のポップアップウィンドウは、「通知パネル」、「バナー」、「バッジ」、および「ロック画面通知」の4つの分類のみを含み、さらに「キャンセル」ボタンを含むことができる。
【００８５】
同様に、図4Eおよび図4Fでは、「バナー」オプションのみが選択される例が使用されている。別の分類オプションが選択された場合、別の分類オプションに対応するアプリケーションの通知メッセージのプロンプト方法の設定インタフェースは、図4Fと同様である。例えば、「アプリケーションのすべての通知メッセージを一度にブロックする」オプションが選択された場合、「アプリケーションのすべての通知メッセージを一度にブロックする」に対応するすべてのアプリケーションのオプションが表示される。各アプリケーションのオプションは、アプリケーションアイコンと、アプリケーション名と、アプリケーションの通知メッセージのすべてのUIプロンプト方法を無効にするかどうかを設定するために使用される、オプションの右側に配置されたトグルとを含む。ユーザ設定後に、アプリケーションの通知メッセージのすべてのUIプロンプト方法が無効にされるという結果になった場合、その後、アプリケーションのすべての通知メッセージは、UI方法で出されない。ユーザ設定後に、アプリケーションの通知メッセージのすべてのUIプロンプト方法が無効にされないという結果になった場合、ユーザは、別の設定方法を使用してアプリケーションの通知メッセージのUIプロンプト方法をさらに個別に設定することができる。例えば、ユーザは、ユーザの要求に従って、一部のUIプロンプトを有効にし、一部の他のUIプロンプトを無効にすることを選択することができる。
【００８６】
シナリオ2
【００８７】
プロセッサは、アプリケーションタイプに従って、通知メッセージを提供することができる、メモリにインストールされたすべてのアプリケーションを分類する。アプリケーションタイプは、アプリケーションの通知メッセージがユーザによって開かれる頻度に従ってすべてのアプリケーションを分類することであり、毎日注目、毎週注目、毎月注目、および基本的に注目せずを含む。ユーザが端末を使用している期間内に通知メッセージを開いた回数をカウントすることにより、アプリケーションの通知メッセージがユーザによって開かれた頻度に従ってアプリケーションを分類することができる。本明細書でカウントされる通知メッセージのプロンプト方法は、すべてのUIプロンプト方法を含む。
【００８８】
一実施態様では、1ヶ月内にユーザがアプリケーションの通知メッセージを開いた回数Nは、図5Aに示す方法および以下のステップを含む図5Aに示す方法を使用してカウントされてもよい。
【００８９】
501．アプリケーションの通知メッセージをカウントするために使用される期間が開始された後、プロセッサは、アプリケーションの新しい通知メッセージがあるかどうかを判定する。
【００９０】
例えば、プロセッサは、RF回路がアプリケーションサーバによって送信されたアプリケーションの新しい通知メッセージを受信したかどうかを判定するか、あるいはプロセッサは、プロセッサが新しい通知メッセージを生成したかどうかを判定する。新しい通知メッセージがある場合、プロセッサはステップ502を実行し、新しい通知メッセージがない場合、プロセッサはステップ501の実行を継続する。
【００９１】
502．プロセッサは、ユーザが新しい通知メッセージを読んだかどうかを判定し、これは特に、プロセッサが、タッチパネルのフィードバックに従って、ユーザが新しい通知メッセージをタップしたかどうかを判定することであってもよい。新しい通知メッセージがタップされた場合、プロセッサは503を実行し、新しい通知メッセージがタップされなかった場合、プロセッサはステップ501を実行する。
【００９２】
503．プロセッサは、新しい通知メッセージに対応するアプリケーションのNを1だけ増加させる。アプリケーションの通知メッセージをカウントするために使用される期間の開始後において、Nの初期値は0である。
【００９３】
504．プロセッサは、アプリケーションの通知メッセージをカウントするために使用される期間が終了したかどうかを判定する。この期間が終了した場合、プロセッサはステップ505を実行し、この期間が終了していなかった場合、プロセッサはステップ501を実行する。このステップはまた、ステップ501の前に実行されてもよく、プロセッサは、この期間が終了してない場合にのみ、ステップ501を実行し始めることが理解されよう。
【００９４】
505．アプリケーションの通知メッセージをカウントするために使用される期間が終了した後、プロセッサは、各アプリケーションのNが入る値の範囲を決定する。詳細は、表2の値の範囲を参照されたい。表2は、各アプリケーションタイプに対応する通知メッセージのUIプロンプト方法のオプションのトグルをさらに提供する。「通知メッセージのすべてのUIプロンプト方法を無効にするかどうか」オプションは、「通知メッセージのすべてのUIプロンプト方法を有効にするかどうか」オプションにさらに置き換えることができるし、「通知メッセージの1つの特定のUIプロンプト方法を有効にするかどうか」に置き換えることができるし、「通知メッセージのいくつかの特定のUIプロンプト方法を有効にするかどうか」に置き換えることができる。これは、本発明のこの実施形態では限定されない。
【００９５】
【表２】
2019507401.tif 000004
【００９６】
506a．SMSメッセージのNが30より大きい場合、プロセッサは、SMSメッセージのアプリケーションタイプは「毎日注目」であると判定し、ステップ506bから506dは類推によって導き出される。詳細については、図5Aおよび表2を参照することとし、ここでは詳細な説明は省略する。
【００９７】
上記の方法で提供された値の範囲は一例に過ぎないことが理解されよう。N＝30の場合、アプリケーションは、要求に従って、アプリケーションが「毎日注目」に近いアプリケーションタイプまたは「毎週注目」に近いアプリケーションタイプのどちらかに属するように分類されてもよい。当業者であれば、実際の要求に従って別の値をさらに設定することができ、これは本発明では限定されない。
【００９８】
上記のアプリケーションタイプが判定された後、プロセッサは、各アプリケーションに対応するアプリケーションタイプとアプリケーションの識別子との対応関係をメモリに格納することに留意されたい。アプリケーションタイプに対応するアプリケーションのテーブルインタフェースを描画する必要がある場合、プロセッサは、各アプリケーションのアプリケーションタイプまたは対応関係を読み出して、アプリケーションタイプに対応するアプリケーションのテーブルインタフェースを描画する。
【００９９】
以下、図4D、図5B、および図5Cを参照して説明する。
【０１００】
シナリオ2では、タッチパネルが、図4Dに示す通知管理用のインタフェース内の「分類」ボタンをユーザがタップしたことを検出すると、プロセッサは、上記のステップ501〜506のアプリケーションの分類結果に従ってアプリケーションの分類用のユーザインタフェースを描画し、表示パネルは、図5Bに示す分類用のポップアップウィンドウを表示する。ポップアップウィンドウは、「毎日注目」オプション、「毎週注目」オプション、「毎月注目」オプション、および「基本的に注目せず」オプションの5つの選択可能な分類オプションを含み、ポップアップウィンドウは、キャンセルボタンをさらに含む。
【０１０１】
タッチパネルが、図5Bに示すインタフェース内の「毎日注目」オプションをユーザが選択したことを検出すると、タッチパネルは、図5Cに示すユーザインタフェースを表示し、ユーザインタフェースは、上から下へ順にステータスバー、「毎日注目」テーブルバー、「ALL」オプション、アプリケーションテーブル、およびナビゲーションバーを含む。「毎日注目」テーブルバーの左側は、矢印形状の戻るボタンを含み、戻るボタンは、図5Bに示すユーザインタフェースに戻るために使用される。「ALL」オプションのトグルが無効にされると、プロセッサは、アプリケーションタイプが「毎日注目」であるすべてのアプリケーションの通知メッセージのUIプロンプト方法を無効にする。ALLオプションのトグルが有効になっているとき、ユーザは、「毎日注目」に対応するすべてのアプリケーションの各アプリケーションの通知メッセージのUIプロンプト方法を有効にするかどうかを選択することができる。図5Cのアプリケーションテーブルは、アプリケーションタイプが「毎日注目」であるすべてのアプリケーションのオプション、すなわち、「ブラウザ」オプション、「電子メール」オプション、および「SMSメッセージ」オプションを含む。各アプリケーションのオプションは、アプリケーションアイコンと、アプリケーション名と、アプリケーションの通知メッセージのすべてのUIプロンプト方法を無効にするかどうかを設定するために使用される、オプションの右側に配置されたトグルとを含む。ユーザ設定後のユーザインタフェースが図5Cに示すものであり、ユーザが戻るボタンをタップして、図5Cに示すユーザインタフェースを終了したとき、プロセッサは、アプリケーションタイプが「毎日注目」であるアプリケーションのすべてのUIプロンプト方法が無効であるという設定をメモリ内のデータ設定項目に格納する。
【０１０２】
シナリオ3
【０１０３】
ある期間内のアプリケーションの通知メッセージの量に従って、プロセッサは、通知メッセージを提供することができる、メモリにインストールされたすべてのアプリケーションを分類する。これらのアプリケーションタイプは、通知メッセージを頻繁に提供するもの、通知メッセージを度々提供するもの、通知メッセージを時折提供するもの、および基本的に通知メッセージを提供しないものを含む。アプリケーションは、ある期間内のアプリケーションの通知メッセージの量をカウントして、アプリケーションの通知メッセージの量に従って分類することができる。本明細書における通知メッセージのプロンプト方法は、すべてのUIプロンプト方法を含む。
【０１０４】
一実施態様では、1ヶ月内のアプリケーションの通知メッセージの量Mは、図6Aに示す方法および以下のステップを含む図6Aに示す方法を使用してカウントされてもよい。
【０１０５】
601．アプリケーションの通知メッセージをカウントするために使用される期間が開始された後、プロセッサは、アプリケーションの新しい通知メッセージがあるかどうかを判定する。
【０１０６】
判定方法は、ステップ501と同様であり、ここでは繰り返さない。新しい通知メッセージがある場合、プロセッサはステップ602を実行し、新しい通知メッセージがない場合、プロセッサはステップ601の実行を継続する。
【０１０７】
602．プロセッサは、新しい通知メッセージに対応するアプリケーションのMを1だけ増加させる。アプリケーションの通知メッセージをカウントするために使用される期間の開始後において、Mの初期値は0である。
【０１０８】
603．プロセッサは、アプリケーションの通知メッセージをカウントするために使用される期間が終了したかどうかを判定する。この期間が終了した場合、プロセッサはステップ604を実行し、この期間が終了していなかった場合、プロセッサはステップ601を実行する。ステップ504と同様に、このステップもステップ601の前に実行されてもよく、プロセッサは、この期間が終了してない場合にのみ、ステップ601を実行し始める。
【０１０９】
604．アプリケーションの通知メッセージをカウントするために使用される期間が終了した後、プロセッサは、各アプリケーションのNが入る値の範囲を決定する。詳細は、表3の値の範囲を参照されたい。表3は、各アプリケーションタイプに対応する通知メッセージのUIプロンプト方法のオプションのトグルをさらに提供する。「通知メッセージのすべてのUIプロンプト方法を有効にするかどうか」オプションは、「通知メッセージのすべてのUIプロンプト方法を無効にするかどうか」オプションに置き換えることもできるし、「通知メッセージの1つの特定のUIプロンプト方法を有効にするかどうか」に置き換えることもできるし、「通知メッセージのいくつかの特定のUIプロンプト方法を有効にするかどうか」に置き換えることもできる。これは、本発明のこの実施形態では限定されない。
【０１１０】
【表３】
2019507401.tif 000005
【０１１１】
605a．電子メールのMが21より大きい場合、プロセッサは、電子メールのアプリケーションタイプが「通知メッセージを頻繁に提供する」であると判定し、ステップ605bから605dは類推によって導き出される。詳細については、図6Aおよび表6を参照することとし、ここでは詳細な説明は省略する。
【０１１２】
表3に提供した値の範囲は一例に過ぎないことに留意されたい。M＝7の場合、アプリケーションは、要求に従って、アプリケーションが「通知メッセージを時折提供する」または「通知メッセージを度々提供する」のアプリケーションタイプに属するように分類されてもよい。当業者であれば、実際の要求に従って別の値をさらに設定することができ、これは本発明では限定されない。
【０１１３】
上記のアプリケーションタイプが判定された後、プロセッサは、各アプリケーションに対応するアプリケーションタイプとアプリケーションの識別子との対応関係をメモリに格納することに留意されたい。アプリケーションタイプに対応するアプリケーションのテーブルインタフェースを描画する必要がある場合、プロセッサは、各アプリケーションのアプリケーションタイプまたは対応関係を読み出して、アプリケーションタイプに対応するアプリケーションのテーブルインタフェースを描画する。
【０１１４】
以下、図4D、図6B、および図6Cを参照して説明する。
【０１１５】
シナリオ3では、タッチパネルが、図4Dに示す通知管理用のインタフェース内の「分類」ボタンをユーザがタップしたことを検出すると、プロセッサは、上記のステップ601〜605のアプリケーションの分類結果に従ってアプリケーションの分類用のユーザインタフェースを描画し、表示パネルは、図6Bに示す分類用のポップアップウィンドウを表示する。ポップアップウィンドウは、「通知メッセージを頻繁に提供する」オプション、「通知メッセージを度々提供する」オプション、「通知メッセージを時折提供する」オプション、および「通知メッセージを基本的に提供しない」オプションの5つの選択可能な分類オプションを含み、ポップアップウィンドウは、キャンセルボタンをさらに含む。
【０１１６】
タッチパネルが、図6Bに示すインタフェース内の「通知メッセージを頻繁に提供する」オプションをユーザが選択したことを検出すると、タッチパネルは、図6Cに示すユーザインタフェースを表示する。ユーザインタフェースは、上から下へ順にステータスバー、「通知メッセージを頻繁に提供する」テーブルバー、「ALL」オプション、およびアプリケーションテーブル、およびナビゲーションバーを含む。「通知メッセージを頻繁に提供する」テーブルバーの左側は、矢印形状の戻るボタンを含み、戻るボタンは、図6Bに示すユーザインタフェースに戻るために使用される。「ALL」オプションのトグルが無効にされると、プロセッサは、アプリケーションタイプが「通知メッセージを頻繁に提供する」であるすべてのアプリケーションの通知メッセージのUIプロンプト方法を無効にする。ALLオプションのトグルが有効になっているとき、ユーザは、アプリケーションタイプが「通知メッセージを頻繁に提供する」であるすべてのアプリケーションの各アプリケーションの通知メッセージのUIプロンプト方法を有効にするかどうかを選択することができる。図6Cのアプリケーションテーブルは、アプリケーションタイプが「通知メッセージを頻繁に提供する」であるすべてのアプリケーションのオプション、すなわち「淘宝」オプション、「電子メール」オプション、および「SMSメッセージ」オプションを含む。各アプリケーションのオプションは、アプリケーションアイコンと、アプリケーション名と、アプリケーションの通知メッセージのすべてのUIプロンプト方法を有効にするかどうかを設定するために使用される、オプションの右側に配置されたトグルとを含む。ユーザ設定後のユーザインタフェースが図6Cに示すものであり、ユーザが戻るボタンをタップして、図6Cに示すユーザインタフェースを終了したとき、プロセッサは、アプリケーションタイプが「通知メッセージを頻繁に提供する」であるアプリケーションのすべてのUIプロンプト方法が有効であるという設定をメモリ内のデータ設定項目に格納する。
【０１１７】
シナリオ4
【０１１８】
上記のシナリオとは異なり、このシナリオでは、プロセッサは、通知メッセージのUIプロンプト方法に従って、現在表示されている通知メッセージのプロンプトのアプリケーションを分類する。ロック画面通知は、通常はロック画面インタフェースにのみ表示されるため、モバイル端末のロックが解除された後は、ロック画面通知は表示されない。通知メッセージがまさに到着したときに、バナーが通常はプロンプトを実行する。2つのタイプのプロンプトは通常は、連続して存在することが困難である。したがって、現在表示されている通知メッセージのプロンプトのアプリケーションは、現在通知パネルに通知メッセージを出しているタイプと現在バッジを使用して通知メッセージを出しているタイプの2つのタイプに分類され得る。現在表示されている通知メッセージのプロンプトのアプリケーションは、別の通知メッセージのUIプロンプト方法に従っても分類され得ることが理解されよう。
【０１１９】
タッチパネルが、図4Dに示すユーザインタフェース内の「分類」オプションをユーザがタップしたことを検出すると、表示パネルは、図7Aに示すポップアップウィンドウを表示する。ポップアップウィンドウは、「通知パネルに通知メッセージを現在出している」オプションと、「バッジを使用して通知メッセージを現在出している」オプションとを含み、「キャンセル」ボタンをさらに含む。タッチパネルが、図7Aに示すユーザインタフェース内の「通知パネルに通知メッセージを現在出している」オプションをユーザがタップしたことを検出すると、プロセッサは、すべてのアプリケーションの通知メッセージの表示ステータスを読み出し、通知パネルに通知メッセージを現在出しているアプリケーションを特定し、図7Bに示すユーザインタフェースを描画する。
【０１２０】
図7Bに示すユーザインタフェースは、上から下へ順にステータスバー、「通知パネルに通知メッセージを現在出している」テーブルバー、「ALL」オプション、アプリケーションテーブル、およびナビゲーションバーを含む。「通知パネルに通知メッセージを現在出している」テーブルバーの左側は、矢印形状の戻るボタンを含み、戻るボタンは、図6Aに示すユーザインタフェースに戻るために使用される。「ALL」オプションのトグルが無効にされると、プロセッサは、アプリケーションタイプが「通知パネルに通知メッセージを現在出している」であるすべてのアプリケーションの通知メッセージのUIプロンプト方法を無効にする。ALLオプションのトグルが有効になっていると、ユーザは、アプリケーションタイプが「通知パネルに通知メッセージを現在出している」であるすべてのアプリケーションの各アプリケーションの通知メッセージのUIプロンプト方法を有効にするかどうかを選択することができる。図7Bのアプリケーションテーブルは、アプリケーションタイプが「通知パネルに通知メッセージを現在出している」アプリケーションタイプのすべてのオプション、すなわち「淘宝」オプション、「電子メール」オプション、「SMSメッセージ」オプション、および「電子メール」オプションを含む。各アプリケーションのオプションは、アプリケーションアイコンと、アプリケーション名と、アプリケーションの通知メッセージのすべてのUIプロンプト方法を有効にするかどうかを設定するために使用される、オプションの右側に配置されたトグルとを含む。ユーザ設定後のユーザインタフェースが図7Bに示すものであり、ユーザが戻るボタンをタップして、図7Bに示すユーザインタフェースを終了したとき、プロセッサは、アプリケーションタイプが「通知パネルに通知メッセージを現在出している」であるアプリケーションのすべてのUIプロンプト方法が有効であるという設定をメモリ内のデータ設定項目に格納する。
【０１２１】
図7Bに示すユーザインタフェースは、通知パネル内の通知メッセージをクリアするかどうかを設定するためにユーザによってさらに使用されてもよいことが理解されよう。「ALL」オプションが無効にされると、プロセッサは、アプリケーションタイプが「通知パネルに通知メッセージを現在出している」であるすべてのアプリケーションの、通知パネル内の通知メッセージをクリアする。ALLオプションが有効になっていると、ユーザは、アプリケーションタイプが「通知パネルに通知メッセージを現在出している」であるすべてのアプリケーションの各々の、通知パネル内の通知メッセージをクリアするかどうかを選択することができる。これに対応して、各アプリケーションのオプションは、アプリケーションアイコンと、アプリケーション名と、アプリケーションの通知パネルに現在表示されている通知メッセージをクリアするかどうかを設定するために使用される、オプションの右側に配置されたボタンとを含む。ユーザ設定後のユーザインタフェースが図7Bに示すものであり、ユーザが戻るボタンをタップして、図7Bに示すユーザインタフェースを終了したとき、プロセッサは、アプリケーションタイプが「通知パネルに通知メッセージを現在出している」であるすべてのアプリケーションの、通知パネル内の通知メッセージをクリアする。タッチパネルが、通知パネルにアクセスするためのユーザ入力操作を検出すると、表示パネルは、すべての通知メッセージがクリアされる通知パネルのユーザインタフェースを表示する。
【０１２２】
端末は、シナリオ1〜シナリオ4の1つのみをサポートすることができる、すなわち、アプリケーションの分類基準は1つだけであることに留意されたい。この場合、タッチパネルが、ユーザが「分類」オプションを選択したことを検出すると、表示パネルは、図4E、図5B、図6B、または図7Aに示す、アプリケーション分類用のユーザインタフェースを表示する。端末はまた、シナリオ1〜シナリオ4の少なくとも2つをサポートしてもよい。この場合、アプリケーションの分類基準は少なくとも2つあり、少なくとも2つの分類基準の各々のオプションは、通知管理用のインタフェース、または別のユーザインタフェースに提供されてもよく、ユーザは、アプリケーションを分類するために特定の分類基準を使用することを選択する。
【０１２３】
上記の実施態様では、タッチパネルを別の入力ユニットに置き換えることもできる。様々な命令およびジェスチャは、ユーザによってカスタマイズされ得るし、端末ベンダまたはアプリケーションプロバイダによって設定され得る。命令またはジェスチャは、複数の方法、例えばタップ（tap）、ダブルタップ（double tap）、タッチ・アンド・ホールド（touch and hold）、ドラッグ（drag）、スライド（slide）、およびスワイプ（swipe）で実施され得る。上記の様々なユーザインタフェースのレイアウトは一例に過ぎず、本発明において、具体的な実施態様は限定されない。
【０１２４】
上記の説明は、本発明の例示的な実施形態に過ぎず、本発明の保護範囲を限定するものではない。本発明の特許請求の範囲に従ってなされる均等な修正もやはり、本発明の範囲内に含まれる。
【符号の説明】
【０１２５】
100  携帯電話
101  ステータスバー
102  ナビゲーションバー
110  RF回路
201  バッジ
202  バッジ
300  携帯電話
401  「バナー」オプション
420  アプリケーションテーブル
421  「分類」ボタン
422  「ブラウザ」項目
423  「電子メール」項目
431  戻るボタン
432  「すべて許可」オプション
434  トグル
451  「アプリケーションのすべての通知メッセージを一度にブロックする」オプション
461  ステータスバー
462  テーブルバー
463  アプリケーションテーブル、「ALL」オプション
464  ナビゲーションバー
465  戻るボタン
【図１Ａ】
2019507401.tif 000006
【図１Ｂ】
2019507401.tif 000007
【図１Ｃ】
2019507401.tif 000008
【図２Ａ】
2019507401.tif 000009
【図２Ｂ】
2019507401.tif 000010
【図２Ｃ】
2019507401.tif 000011
【図２Ｄ】
2019507401.tif 000012
【図３Ａ】
2019507401.tif 000013
【図３Ｂ】
2019507401.tif 000014
【図３Ｃ】
2019507401.tif 000015
【図４Ａ】
2019507401.tif 000016
【図４Ｂ】
2019507401.tif 000017
【図４Ｃ】
2019507401.tif 000018
【図４Ｄ】
2019507401.tif 000019
【図４Ｅ】
2019507401.tif 000020
【図４Ｆ】
2019507401.tif 000021
【図５Ａ】
2019507401.tif 000022
【図５Ｂ】
2019507401.tif 000023
【図５Ｃ】
2019507401.tif 000024
【図６Ａ】
2019507401.tif 000025
【図６Ｂ】
2019507401.tif 000026
【図６Ｃ】
2019507401.tif 000027
【図７Ａ】
2019507401.tif 000028
【図７Ｂ】
2019507401.tif 000029
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
端末に使用される通知メッセージ管理方法であって、通知メッセージを提供することができる少なくとも1つのアプリケーションが、前記端末にインストールされており、前記方法は、
通知管理用のユーザインタフェース（UI）を表示するためのユーザ入力命令を検出するステップと、
前記通知管理用のユーザインタフェースを表示するステップであって、前記通知管理用のユーザインタフェースが、分類オプションを含む、ステップと、
前記分類オプションを選択するためのユーザ入力命令を受信するステップと、
少なくとも2つのアプリケーションタイプのオプションを表示するステップと、
前記少なくとも2つのアプリケーションタイプの1つのアプリケーションタイプのオプションを選択するためのユーザ入力命令を検出するステップと、
前記選択されたアプリケーションタイプに対応する少なくとも1つのアプリケーションの識別子を同じユーザインタフェースに表示し、前記少なくとも1つのアプリケーションの各々の通知メッセージのUIプロンプト方法の設定オプションを表示するステップと、
前記少なくとも1つのアプリケーションの前記UIプロンプト方法の前記設定オプションに対するユーザの操作を検出するステップと、
前記ユーザ操作の後に前記少なくとも1つのアプリケーションの前記UIプロンプト方法の前記設定オプションを保存するステップと
を含む、通知メッセージ管理方法。
【請求項２】
前記アプリケーションタイプが、アプリケーションの前記通知メッセージの前記UIプロンプト方法に従って前記アプリケーションを分類するものである、請求項1に記載の通知メッセージ管理方法。
【請求項３】
前記アプリケーションタイプが、前記アプリケーションのすべての通知メッセージを一度にブロックする、ロック画面通知、バナー、バッジ、通知パネル、ローリング通知、またはトースト（Toast）の少なくとも2つを含む、請求項1または2に記載の通知メッセージ管理方法。
【請求項４】
前記アプリケーションタイプが、アプリケーションが前記通知メッセージを提供する頻度に従って前記アプリケーションを分類するものであるか、または前記アプリケーションタイプが、アプリケーションの前記通知メッセージが読み出される頻度に従って前記アプリケーションを分類するものであるか、または前記アプリケーションタイプが、現在出されている前記通知メッセージの前記プロンプト方法に従ってアプリケーションを分類するものである、請求項1に記載の通知メッセージ管理方法。
【請求項５】
前記ユーザ操作の後に前記少なくとも1つのアプリケーションの前記UIプロンプト方法の前記設定オプションを保存する前記ステップの後に、前記方法が、
新しい通知メッセージを受信するステップと、
前記新しい通知メッセージのアプリケーションの識別子を検索するステップと、
前記少なくとも1つのアプリケーションの前記UIプロンプト方法の前記保存された設定オプションおよび前記新しい通知メッセージの前記アプリケーションの前記識別子に従って前記新しい通知メッセージのUIプロンプト方法を決定するステップと、
前記新しい通知メッセージの前記UIプロンプト方法に従って前記新しい通知メッセージを出すステップと
をさらに含む、請求項1から4のいずれか一項に記載の通知メッセージ管理方法。
【請求項６】
端末に使用される通知メッセージ管理方法であって、通知メッセージを提供することができる少なくとも1つのアプリケーションが前記端末にインストールされており、前記方法は、
通知管理用のユーザインタフェース（UI）を表示するためのユーザ入力命令を検出するステップと、
前記通知管理用のユーザインタフェースを表示するステップであって、前記通知管理用のユーザインタフェースが、分類オプションを含む、ステップと、
前記分類オプションを選択するためのユーザ入力命令を検出するステップと、
第1のUIプロンプト方法のオプションおよび第2のUIプロンプト方法のオプションを表示するステップであって、前記第1のUIプロンプト方法が、前記第2のUIプロンプト方法と異なる、ステップと、
前記第1のUIプロンプト方法の前記オプションを選択するためのユーザの命令を検出するステップと、
前記第1のUIプロンプト方法に対応する第1のアプリケーションの識別子と、前記第1のUIプロンプト方法に対応する第2のアプリケーションの識別子と、前記第1のアプリケーションの通知メッセージの前記第1のUIプロンプト方法のトグルを無効にするかどうかと、前記第2のアプリケーションの通知メッセージの前記第2のUIプロンプト方法のトグルを無効にするかどうかとを同じユーザインタフェースに表示するステップと、
前記第1のアプリケーションの前記第1のUIプロンプト方法を無効にするための前記ユーザの操作および前記第2のアプリケーションの前記第1のUIプロンプト方法を無効にするための前記ユーザの操作を検出するステップと、
前記第1のアプリケーションの前記第1のUIプロンプト方法が無効であるという設定および前記第2のアプリケーションの前記第1のUIプロンプト方法が無効であるという設定を保存するステップと
を含む、通知メッセージ管理方法。
【請求項７】
前記第1のUIプロンプト方法が、ロック画面通知、バナー、バッジ、通知パネル、ローリング通知、またはトースト（Toast）のいずれか1つであり、前記第2のUIプロンプト方法が、ロック画面通知、バナー、バッジ、通知パネル、ローリング通知、またはToastのいずれか1つである、請求項6に記載の通知メッセージ管理方法。
【請求項８】
端末に使用される通知メッセージ管理方法であって、通知メッセージを提供することができる少なくとも1つのアプリケーションが前記端末にインストールされており、前記方法は、
通知管理用のユーザインタフェース（UI）を表示するためのユーザ入力命令を検出するステップと、
前記通知管理用のユーザインタフェースを表示するステップであって、前記通知管理用のユーザインタフェースが、分類オプションを含む、ステップと、
前記分類オプションを選択するためのユーザ入力命令を検出するステップと、
少なくとも2つのアプリケーションタイプのオプションを表示するステップであって、前記アプリケーションタイプが、アプリケーションの通知メッセージが読み出される頻度に従って前記アプリケーションを分類するものである、ステップと、
前記少なくとも2つのアプリケーションタイプの1つのアプリケーションタイプのオプションを選択するためのユーザ入力命令を検出するステップと、
前記選択されたアプリケーションタイプに対応する少なくとも1つのアプリケーションの識別子を同じユーザインタフェースに表示し、前記少なくとも1つのアプリケーションの各々の通知メッセージのすべてのUIプロンプト方法のトグルを無効にするかどうかを表示するステップと、
前記少なくとも1つのアプリケーションのうちの一部のアプリケーションの通知メッセージのすべてのUIプロンプト方法を無効にするためのユーザの操作を検出するステップと、
前記一部のアプリケーションの通知メッセージの前記すべてのUIプロンプト方法が無効であるという設定を保存するステップと
を含む、通知メッセージ管理方法。
【請求項９】
前記一部のアプリケーションの通知メッセージの前記すべてのUIプロンプト方法が無効であるという設定を保存する前記ステップの後に、前記方法が、
新しい通知メッセージを受信するステップと、
前記新しい通知メッセージが一部のアプリケーションの1つのアプリケーションに対応すると判定された場合に、
前記新しい通知メッセージのUIプロンプトをブロックするステップと
をさらに含む、請求項8に記載の通知メッセージ管理方法。
【請求項１０】
端末であって、
タッチパネルと、
表示パネルと、
メモリと、
少なくとも1つのプロセッサと、
通知メッセージを提供することができる少なくとも1つのアプリケーションと、
1つ以上のプログラムであって、前記1つ以上のプログラムが、前記メモリに格納され、前記1つ以上のプロセッサによって実行されるように構成され、前記1つ以上のプログラムが命令を含み、前記命令が、
通知管理用のユーザインタフェース（UI）を表示するためのユーザ入力命令を検出し、
前記通知管理用のユーザインタフェースを表示し、前記通知管理用のユーザインタフェースが分類オプションを含み、
前記分類オプションを選択するためのユーザ入力命令を受信し、
少なくとも2つのアプリケーションタイプのオプションを表示し、
前記少なくとも2つのアプリケーションタイプの1つのアプリケーションタイプのオプションを選択するためのユーザ入力命令を検出し、
前記選択されたアプリケーションタイプに対応する少なくとも1つのアプリケーションの識別子を同じユーザインタフェースに表示し、前記少なくとも1つのアプリケーションの各々の通知メッセージのUIプロンプト方法の設定オプションを表示し、
前記少なくとも1つのアプリケーションの前記UIプロンプト方法の前記設定オプションに対するユーザの操作を検出し、
前記ユーザ操作の後に前記少なくとも1つのアプリケーションの前記UIプロンプト方法の前記設定オプションを保存する
ために使用される、1つ以上のプログラムと
を備える、端末。
【請求項１１】
前記アプリケーションタイプが、アプリケーションの前記通知メッセージの前記UIプロンプト方法に従って前記アプリケーションを分類するものである、請求項10に記載の端末。
【請求項１２】
前記アプリケーションタイプが、前記アプリケーションのすべての通知メッセージを一度にブロックする、ロック画面通知、バナー、バッジ、通知パネル、ローリング通知、またはトースト（Toast）の少なくとも2つを含む、請求項10または11に記載の端末。
【請求項１３】
前記命令が、
新しい通知メッセージを受信し、
前記新しい通知メッセージのアプリケーションの識別子を検索し、
前記少なくとも1つのアプリケーションの前記UIプロンプト方法の前記保存された設定オプションおよび前記新しい通知メッセージの前記アプリケーションの前記識別子に従って前記新しい通知メッセージのUIプロンプト方法を決定し、
前記新しい通知メッセージの前記UIプロンプト方法に従って前記新しい通知メッセージを出す
ためにさらに使用される、請求項10または11に記載の端末。
【請求項１４】
端末であって、
タッチパネルと、
表示パネルと、
メモリと、
少なくとも1つのプロセッサと、
通知メッセージを提供することができる少なくとも1つのアプリケーションと、
1つ以上のプログラムであって、前記1つ以上のプログラムが、前記メモリに格納され、前記1つ以上のプロセッサによって実行されるように構成され、前記1つ以上のプログラムが命令を含み、前記命令が、
通知管理用のユーザインタフェース（UI）を表示するためのユーザ入力命令を検出し、
前記通知管理用のユーザインタフェースを表示し、前記通知管理用のユーザインタフェースが分類オプションを含み、
前記分類オプションを選択するためのユーザ入力命令を検出し、
第1のUIプロンプト方法のオプションおよび第2のUIプロンプト方法のオプションを表示し、前記第1のUIプロンプト方法が前記第2のUIプロンプト方法と異なり、
前記第1のUIプロンプト方法の前記オプションを選択するためのユーザの命令を検出し、
前記第1のUIプロンプト方法に対応する第1のアプリケーションの識別子と、前記第1のUIプロンプト方法に対応する第2のアプリケーションの識別子と、前記第1のアプリケーションの通知メッセージの前記第1のUIプロンプト方法のトグルを無効にするかどうかと、前記第2のアプリケーションの通知メッセージの前記第2のUIプロンプト方法のトグルを無効にするかどうかとを同じユーザインタフェースに表示し、
前記第1のアプリケーションの前記第1のUIプロンプト方法を無効にするための前記ユーザの操作および前記第2のアプリケーションの前記第1のUIプロンプト方法を無効にするための前記ユーザの操作を検出し、
前記第1のアプリケーションの前記第1のUIプロンプト方法が無効であるという設定および前記第2のアプリケーションの前記第1のUIプロンプト方法が無効であるという設定を保存する
ために使用される、1つ以上のプログラムと
を備える、端末。
【請求項１５】
前記第1のUIプロンプト方法が、ロック画面通知、バナー、バッジ、通知パネル、ローリング通知、またはトースト（Toast）のいずれか1つであり、前記第2のUIプロンプト方法が、ロック画面通知、バナー、バッジ、通知パネル、ローリング通知、またはToastのいずれか1つである、請求項14に記載の端末。
【請求項１６】
端末であって、
タッチパネルと、
表示パネルと、
メモリと、
少なくとも1つのプロセッサと、
通知メッセージを提供することができる少なくとも1つのアプリケーションと、
1つ以上のプログラムであって、前記1つ以上のプログラムが、前記メモリに格納され、前記1つ以上のプロセッサによって実行されるように構成され、前記1つ以上のプログラムが命令を含み、前記命令が、
通知管理用のユーザインタフェース（UI）を表示するためのユーザ入力命令を検出し、
前記通知管理用のユーザインタフェースを表示し、前記通知管理用のユーザインタフェースが分類オプションを含み、
前記分類オプションを選択するためのユーザ入力命令を検出し、
少なくとも2つのアプリケーションタイプのオプションを表示し、前記アプリケーションタイプが、アプリケーションの通知メッセージが読み出される頻度に従って前記アプリケーションを分類するものであり、
前記少なくとも2つのアプリケーションタイプの1つのアプリケーションタイプのオプションを選択するためのユーザ入力命令を検出し、
前記選択されたアプリケーションタイプに対応する少なくとも1つのアプリケーションの識別子を同じユーザインタフェースに表示し、前記少なくとも1つのアプリケーションの各々の通知メッセージのすべてのUIプロンプト方法のトグルを無効にするかどうかを表示し、
前記少なくとも1つのアプリケーションのうちの一部のアプリケーションの通知メッセージのすべてのUIプロンプト方法をユーザが無効にしたことを検出し、
前記一部のアプリケーションの通知メッセージの前記すべてのUIプロンプト方法が無効であるという設定を保存する
ために使用される、1つ以上のプログラムと
を備える、端末。
【請求項１７】
前記命令が、
新しい通知メッセージを受信し、
前記新しい通知メッセージが一部のアプリケーションの1つのアプリケーションに対応すると判定された場合に、
前記新しい通知メッセージのUIプロンプトをブロックする
ためにさらに使用される、請求項16に記載の端末。
【請求項１８】
1つ以上のプログラムを格納するコンピュータ可読記憶媒体であって、前記1つ以上のプログラムが命令を含み、タッチパネル、表示パネル、および複数のアプリケーションを備える端末によって実行されたときに、前記命令が、前記端末が請求項1から5のいずれか一項に記載の方法を実行することを可能にする、コンピュータ可読記憶媒体。
【請求項１９】
1つ以上のプログラムを格納するコンピュータ可読記憶媒体であって、前記1つ以上のプログラムが命令を含み、タッチパネル、表示パネル、および複数のアプリケーションを備える端末によって実行されたときに、前記命令が、前記端末が請求項6または7に記載の方法を実行することを可能にする、コンピュータ可読記憶媒体。
【請求項２０】
1つ以上のプログラムを格納するコンピュータ可読記憶媒体であって、前記1つ以上のプログラムが命令を含み、タッチパネル、表示パネル、および複数のアプリケーションを備える端末によって実行されたときに、前記命令が、前記端末が請求項8または9に記載の方法を実行することを可能にする、コンピュータ可読記憶媒体。
【請求項２１】
端末のグラフィカル・ユーザ・インタフェースであって、前記端末が、タッチパネルと、表示パネルと、メモリと、複数のアプリケーションと、前記メモリに格納された1つ以上のプログラムを実行するように構成された1つ以上のプロセッサとを備え、前記グラフィカル・ユーザ・インタフェースが、
通知管理を表示するように構成されたユーザインタフェースと、少なくとも2つのアプリケーションタイプを表示するように構成されたユーザインタフェースと、ユーザによって選択されるアプリケーションタイプに対応する少なくとも1つのアプリケーションの識別子および前記少なくとも1つのアプリケーションの各々の通知メッセージのUIプロンプト方法の設定オプションを表示するように構成されたユーザインタフェースとを備え、
通知管理を表示する前記ユーザインタフェースが、分類オプションを備え、通知管理用のユーザインタフェース（UI）を表示するための検出されたユーザ入力命令に応答して、前記通知管理を表示するように構成されたユーザインタフェースが表示を開始し、
前記分類オプションを選択するための検出されたユーザ入力命令に応答して、前記少なくとも2つのアプリケーションタイプの前記オプションを表示するように構成された前記ユーザインタフェースが表示を開始し、
前記少なくとも2つのアプリケーションタイプのうちの1つのアプリケーションタイプを選択するための検出されたユーザ入力命令に応答して、前記選択されたアプリケーションタイプに対応する前記少なくとも1つのアプリケーションの前記識別子および前記少なくとも1つのアプリケーションの各々の前記通知メッセージの前記UIプロンプト方法の前記設定オプションを表示するように構成された前記ユーザインタフェースが表示を開始し、
前記少なくとも1つのアプリケーションの前記UIプロンプト方法の前記設定オプションに対するユーザの操作に応答して、前記選択されたアプリケーションタイプに対応する前記少なくとも1つのアプリケーションの前記識別子および前記少なくとも1つのアプリケーションの各々の前記通知メッセージの前記UIプロンプト方法の前記設定オプションを表示するように構成された前記ユーザインタフェースの表示が変更される、グラフィカル・ユーザ・インタフェース。
【請求項２２】
端末のグラフィカル・ユーザ・インタフェースであって、前記端末が、タッチパネルと、表示パネルと、メモリと、複数のアプリケーションと、前記メモリに格納された1つ以上のプログラムを実行するように構成された1つ以上のプロセッサとを備え、前記グラフィカル・ユーザ・インタフェースが、
通知管理を表示するように構成されたユーザインタフェースと、第1のUIプロンプト方法のオプションおよび第2のUIプロンプト方法のオプションを表示するように構成されたユーザインタフェースと、アプリケーションタイプに対応する少なくとも1つのアプリケーションの識別子を表示し、前記少なくとも1つのアプリケーションの各々の通知メッセージのすべてのUIプロンプト方法のトグルを無効にするかどうかを表示するように構成されたユーザインタフェースとを備え、
通知管理用のユーザインタフェース（UI）を表示するための検出されたユーザ入力命令に応答して、前記通知管理を表示するように構成されたユーザインタフェースが、表示を開始し、
分類オプションを選択するための検出されたユーザ入力命令に応答して、前記第1のUIプロンプト方法の前記オプションおよび前記第2のUIプロンプト方法の前記オプションを表示するように構成された前記ユーザインタフェースが表示を開始し、
前記第1のUIプロンプト方法の前記オプションを選択するための検出されたユーザ入力命令に応答して、前記アプリケーションタイプに対応する前記少なくとも1つのアプリケーションの前記識別子を表示し、前記少なくとも1つのアプリケーションの各々の前記通知メッセージの前記すべてのUIプロンプト方法の前記トグルを無効にするかどうかを表示するように構成された前記ユーザインタフェースが表示を開始し、
前記第1のアプリケーションの前記第1のUIプロンプト方法を無効にするためのユーザの操作および第2のアプリケーションの前記第1のUIプロンプト方法を無効にするための前記ユーザの操作に応答して、前記アプリケーションタイプに対応する前記少なくとも1つのアプリケーションの前記識別子を表示し、前記少なくとも1つのアプリケーションの各々の前記通知メッセージの前記すべてのUIプロンプト方法の前記トグルを無効にするかどうかを表示するように構成された前記ユーザインタフェースの表示が変更される、グラフィカル・ユーザ・インタフェース。
【請求項２３】
端末のグラフィカル・ユーザ・インタフェースであって、前記端末が、タッチパネルと、表示パネルと、メモリと、複数のアプリケーションと、前記メモリに格納された1つ以上のプログラムを実行するように構成された1つ以上のプロセッサとを備え、前記グラフィカル・ユーザ・インタフェースが、
通知管理を表示するように構成されたユーザインタフェースと、少なくとも2つのアプリケーションタイプのオプションを表示するように構成されたユーザインタフェースと、ユーザによって選択されるアプリケーションタイプに対応する少なくとも1つのアプリケーションの識別子を表示し、前記少なくとも1つのアプリケーションの各々の通知メッセージのUIプロンプト方法の設定オプションを表示するように構成されたユーザインタフェースとを備え、
通知管理用のユーザインタフェース（UI）を表示するための検出されたユーザ入力命令に応答して、前記通知管理を表示するように構成されたユーザインタフェースが、表示を開始し、
前記分類オプションを選択するためのユーザ入力命令に応答して、前記少なくとも2つのアプリケーションタイプの前記オプションを表示するように構成された前記ユーザインタフェースが表示を開始し、
前記少なくとも2つのアプリケーションタイプのうちの1つのアプリケーションタイプのオプションを選択するためのユーザ入力命令に応答して、前記ユーザによって選択された前記アプリケーションタイプに対応する前記少なくとも1つのアプリケーションの前記識別子および前記少なくとも1つのアプリケーションの各々の前記通知メッセージの前記UIプロンプト方法の前記設定オプションを表示するように構成された前記ユーザインタフェースが表示を開始し、
前記少なくとも1つのアプリケーションの前記UIプロンプト方法の前記設定オプションに対する前記ユーザの操作に応答して、前記ユーザによって選択された前記アプリケーションタイプに対応する前記少なくとも1つのアプリケーションの前記識別子を表示し、前記少なくとも1つのアプリケーションの各々の前記通知メッセージの前記UIプロンプト方法の前記設定オプションを表示するように構成された前記ユーザインタフェースの表示が変更される、グラフィカル・ユーザ・インタフェース。
【国際調査報告】
2019507401.tif 000030
2019507401.tif 000031
2019507401.tif 000032
2019507401.tif 000033